(57)【要約】      （修正有）【課題】現在の業務から派生する業務に係る商品又は役務を指定商品又は指定役務の候補として検討することができる商標登録出願支援システムを提供する。【解決手段】出願支援装置は、商品又は役務を入力し、入力した商品又は役務と一致する指定商品又は指定役務を商品情報テーブルのなかから検索し、これと同一のレコードにおいて登録されている他の指定商品又は指定役務を商品情報テーブルのなかから検索し、索出した指定商品又は指定役務について同一の内容ごとに出現回数を算出し、索出した指定商品又は指定役務及び出現回数を出現回数の多い順に表示する。【選択図】図６
2014132394.tif 000002
【特許請求の範囲】
【請求項１】
商標登録出願において指定された指定商品若しくは指定役務のうち一の指定商品若しくは指定役務又はこれが属するグループに関する第１商品情報、及び、前記商標登録出願において指定された指定商品若しくは指定役務のうち他の指定商品若しくは指定役務又はこれが属するグループに関する第２商品情報を対応づけて記憶する商品情報記憶手段と、
商品若しくは役務又はこれが属するグループに関する商品情報を取得する商品情報取得手段と、
前記商品情報取得手段で取得した商品情報に対応する前記第１商品情報を介して、当該商品情報に対応する前記第２商品情報を前記商品情報記憶手段のなかから検索する商品情報検索手段と、
前記商品情報検索手段で索出した第２商品情報の統計情報を取得する統計情報取得手段と、
前記統計情報取得手段で取得した統計情報に基づいて、前記商品情報検索手段で索出した第２商品情報を出力し、又は、前記統計情報取得手段で取得した統計情報及び前記商品情報検索手段で索出した第２商品情報に基づいて、商品若しくは役務又はこれが属するグループに関する商品情報を出力する商品情報出力手段とを備えることを特徴とする商標登録出願支援システム。
【請求項２】
請求項１において、
前記統計情報取得手段は、前記商品情報検索手段で索出した第２商品情報について同一の内容ごと又は所定の分類ごとに出現回数を算出することを特徴とする商標登録出願支援システム。
【請求項３】
請求項１及び２のいずれか１項において、
前記商品情報取得手段は、商品又は役務及びこれが属するグループに関する商品情報を取得し、
前記商品情報検索手段は、前記商品情報取得手段で取得した商品情報に係るグループで且つ当該商品情報に係る商品又は役務に対応する前記第１商品情報を介して、前記第２商品情報を検索することを特徴とする商標登録出願支援システム。
【請求項４】
請求項１乃至３のいずれか１項において、
前記商品情報取得手段は、少なくとも２つの前記商品情報を取得し、
前記商品情報検索手段は、前記商品情報取得手段で取得した一の商品情報に係る商品若しくは役務が指定され又は当該一の商品情報に係るグループが設定された商標登録出願で、且つ、前記商品情報取得手段で取得した他の商品情報に係る商品若しくは役務が指定され又は当該他の商品情報に係るグループが設定された商標登録出願について、前記第２商品情報を検索することを特徴とする商標登録出願支援システム。
【請求項５】
第１の商品若しくは役務又はこれが属するグループに関する第１商品情報、及び、前記第１の商品若しくは役務に係る業務から派生する業務に係る第２の商品若しくは役務又はこれが属するグループに関する第２商品情報を対応づけて記憶する商品情報記憶手段と、
商品若しくは役務又はこれが属するグループに関する商品情報を取得する商品情報取得手段と、
前記商品情報取得手段で取得した商品情報に対応する前記第１商品情報を介して、当該商品情報に対応する前記第２商品情報を前記商品情報記憶手段のなかから検索する商品情報検索手段と、
前記商品情報検索手段で索出した第２商品情報の統計情報を取得する統計情報取得手段と、
前記統計情報取得手段で取得した統計情報に基づいて、前記商品情報検索手段で索出した第２商品情報を出力し、又は、前記統計情報取得手段で取得した統計情報及び前記商品情報検索手段で索出した第２商品情報に基づいて、商品若しくは役務又はこれが属するグループに関する商品情報を出力する商品情報出力手段とを備えることを特徴とする商標登録出願支援システム。
【請求項６】
複数の商標登録出願について、当該商標登録出願において指定された指定商品若しくは指定役務のうち一の指定商品若しくは指定役務又はこれが属するグループに関する第１商品情報、及び、当該商標登録出願において指定された指定商品若しくは指定役務のうち他の指定商品若しくは指定役務又はこれが属するグループに関する第２商品情報を対応づけて記憶する商品情報記憶手段と、
商品若しくは役務又はこれが属するグループに関する商品情報を取得する商品情報取得手段と、
複数の商標登録出願について、前記商品情報取得手段で取得した商品情報に対応する前記第１商品情報を介して、当該商品情報に対応する前記第２商品情報を前記商品情報記憶手段のなかから複数検索する商品情報検索手段と、
前記商品情報検索手段で索出した第２商品情報を出力し、又は前記商品情報検索手段で索出した第２商品情報に基づいて、商品若しくは役務又はこれが属するグループに関する商品情報を出力する商品情報出力手段とを備えることを特徴とする商標登録出願支援システム。
【請求項７】
第１の商品若しくは役務又はこれが属するグループに関する第１商品情報、及び、前記第１の商品若しくは役務に係る業務から派生する業務に係る第２の商品若しくは役務又はこれが属するグループに関する第２商品情報を対応づけて記憶する商品情報記憶手段と、
商品若しくは役務又はこれが属するグループに関する商品情報を取得する商品情報取得手段と、
前記商品情報取得手段で取得した商品情報に対応する前記第１商品情報を介して、当該商品情報に対応する前記第２商品情報を前記商品情報記憶手段のなかから検索する商品情報検索手段と、
前記商品情報検索手段で索出した第２商品情報を出力し、又は前記商品情報検索手段で索出した第２商品情報に基づいて、商品若しくは役務又はこれが属するグループに関する商品情報を出力する商品情報出力手段とを備えることを特徴とする商標登録出願支援システム。
【発明の詳細な説明】
【技術分野】
【０００１】
本発明は、商標登録出願を支援するシステムに係り、特に、現在の業務から派生する業務に係る商品又は役務を指定商品又は指定役務の候補として検討することができる商標登録出願支援システムに関する。
【背景技術】
【０００２】
従来、商標登録出願を支援する技術としては、例えば、特許文献１記載の技術が知られている。
【０００３】
特許文献１記載の技術は、ユーザが、インターネット上の出願支援サイトに商標登録出願の指示を行い、この指示情報に基づいて出願書類等を作成するものである（同文献要約書）。指定商品又は指定役務は、次のように決定していく。ユーザが、「指定商品（指定役務）の区分」の画面の欄に商品又は役務の名称を入力し、検索ボタンをクリックすると、入力した商品又は役務が含まれる包括的商品群の名称と、これが属する区分が表示される（同文献明細書〔００８５〕〜〔００８８〕）。ユーザは、表示内容を承認すると、その内容の指定商品又は指定役務が出願書類に反映される（〔００８９〕〜〔００９０〕）。
【先行技術文献】
【特許文献】
【０００４】
【特許文献１】特開２００２−２５９５３４号公報
【発明の概要】
【発明が解決しようとする課題】
【０００５】
ところで、商標登録出願を行うにあたっては、商標権が更新により永続的に保持できる権利である一方で、出願時の内容を超えて権利範囲を変更することはできないので、指定商品又は指定役務の内容について十分な検討が必要である。
【０００６】
しかしながら、特許文献１記載の技術にあっては、基本的にユーザが入力した商品又は役務を指定するものとなっているので、現在の業務に係る商品又は役務を指定することはできても、将来の事業拡大等に伴い派生する新たな業務を想定し、これに係る商品又は役務を指定することは難しいという問題があった。
【０００７】
そこで、本発明は、このような従来の技術の有する未解決の課題に着目してなされたものであって、現在の業務から派生する業務に係る商品又は役務を指定商品又は指定役務の候補として検討することができる商標登録出願支援システムを提供することを目的としている。
【課題を解決するための手段】
【０００８】
〔発明１〕  上記目的を達成するために、発明１の商標登録出願支援システムは、商標登録出願において指定された指定商品若しくは指定役務のうち一の指定商品若しくは指定役務又はこれが属するグループに関する第１商品情報、及び、前記商標登録出願において指定された指定商品若しくは指定役務のうち他の指定商品若しくは指定役務又はこれが属するグループに関する第２商品情報を対応づけて記憶する商品情報記憶手段と、商品若しくは役務又はこれが属するグループに関する商品情報を取得する商品情報取得手段と、前記商品情報取得手段で取得した商品情報に対応する前記第１商品情報を介して、当該商品情報に対応する前記第２商品情報を前記商品情報記憶手段のなかから検索する商品情報検索手段と、前記商品情報検索手段で索出した第２商品情報の統計情報を取得する統計情報取得手段と、前記統計情報取得手段で取得した統計情報に基づいて、前記商品情報検索手段で索出した第２商品情報を出力し、又は、前記統計情報取得手段で取得した統計情報及び前記商品情報検索手段で索出した第２商品情報に基づいて、商品若しくは役務又はこれが属するグループに関する商品情報を出力する商品情報出力手段とを備える。
【０００９】
このような構成であれば、商品情報取得手段により、商品若しくは役務又はこれが属するグループに関する商品情報が取得されると、商品情報検索手段により、取得された商品情報に対応する第１商品情報を介して、その商品情報に対応する第２商品情報が商品情報記憶手段のなかから検索される。そして、統計情報取得手段により、索出された第２商品情報の統計情報が取得され、商品情報出力手段により、取得された統計情報に基づいて、索出された第２商品情報が出力されるか、又は、取得された統計情報及び索出された第２商品情報に基づいて、商品若しくは役務又はこれが属するグループに関する商品情報が出力される。
【００１０】
商標登録出願においては、出願人等の業務に係る商品又は役務が指定されていると考えられるので、商標登録出願を行うにあたって指定しようとする商品又は役務に対応する指定商品又は指定役務、及び、これとは異なる他の指定商品又は指定役務が指定されている場合、この「他の商品又は役務」は、指定しようとする商品又は役務に係る業務から派生する業務に係る商品又は役務である可能性が高い。例えば、指定しようとする役務が「宿泊施設の提供」である場合、「宿泊施設の提供」及び「飲食物の提供」が指定された商標登録出願において、「飲食物の提供」は、現在の業務に係る役務「宿泊施設の提供」から派生する業務に係る役務である可能性が高い。実際、宿泊施設には、飲食店が併設されることが多い。
【００１１】
ここで、商品情報取得手段は、例えば、入力装置等から商品情報を入力してもよいし、外部の端末等から商品情報を獲得又は受信してもよいし、記憶装置や記憶媒体等から商品情報を読み出してもよいし、情報処理等により商品情報を生成し又は算出してもよい。したがって、取得には、少なくとも入力、獲得、受信、読出、生成及び算出が含まれる。以下、取得の概念については同じである。
【００１２】
また、商品情報検索手段は、商品情報取得手段で取得した商品情報に対応する第２商品情報を一度に検索してもよいし、例えば、商品情報取得手段で取得した商品情報に対応する第１商品情報を検索し、さらにその第１商品情報に対応する第２商品情報を検索するというように、複数回の検索を経て第２商品情報を検索してもよい。以下、発明５乃至７の商標登録出願支援システムにおいて同じである。
【００１３】
また、商品情報出力手段は、例えば、表示、印刷、音声出力、記憶装置や記憶媒体等への書き出し、外部の端末等への送信、バイブレーション等の振動、発熱その他の方法により商品情報を出力することができる。したがって、出力には、少なくとも表示、印刷、音声出力、書き出し、送信、振動及び発熱が含まれる。以下、出力の概念については同じである。
【００１４】
また、商品情報出力手段による出力の形態には、例えば、第２商品情報に係る商品若しくは役務を包括する上位概念の商品若しくは役務又はこれが属するグループに関する商品情報を出力すること、又は、第２商品情報に係る商品若しくは役務に包括される下位概念の商品若しくは役務又はこれが属するグループを出力することが含まれる。以下、発明５乃至７の商標登録出願支援システムにおいて同じである。
【００１５】
また、第１商品情報には、例えば、商標登録出願において指定された指定商品若しくは指定役務のうち一の指定商品若しくは指定役務（この段落において単に「一の指定商品等」という。）又はこれが属するグループに関する商品情報、一の指定商品等を包括する上位概念の商品若しくは役務又はこれが属するグループに関する商品情報、又は、一の指定商品等に包括される下位概念の商品若しくは役務又はこれが属するグループに関する商品情報が含まれる。以下、発明６の商標登録出願支援システムにおいて同じである。
【００１６】
また、第２商品情報には、例えば、商標登録出願において指定された指定商品若しくは指定役務のうち他の指定商品若しくは指定役務（この段落において単に「他の指定商品等」という。）又はこれが属するグループに関する商品情報、他の指定商品等を包括する上位概念の商品若しくは役務又はこれが属するグループに関する商品情報、又は、他の指定商品等に包括される下位概念の商品若しくは役務又はこれが属するグループに関する商品情報が含まれる。以下、発明６の商標登録出願支援システムにおいて同じである。
【００１７】
また、第１商品情報、第２商品情報その他の商品情報は、例えば、商品若しくは役務又はこれが属するグループを識別するための情報（例えば、名称、番号、ＩＤ、ＵＲＬ等のリンク情報）として構成することができる。また、第１商品情報、第２商品情報その他の商品情報は、例えば、テキスト、画像（静止画像及び動画像を含む。）、音声として構成することができる。以下、発明５乃至７の商標登録出願支援システムにおいて同じである。
【００１８】
また、統計情報には、例えば、出現回数、出現率、順位、差分、分散、標準誤差、標準偏差、偏差値、平均値、中央値、最頻値、尖度、歪度、最小値、最大値その他の統計量が含まれる。以下、発明５の商標登録出願支援システムにおいて同じである。
【００１９】
また、商品情報記憶手段は、商品情報をあらゆる手段で且つあらゆる時期に記憶するものであり、商品情報を予め記憶してあるものであってもよいし、商品情報を予め記憶することなく、本システムの動作時に外部からの入力等によって商品情報を記憶するようになっていてもよい。以下、発明５乃至７の商標登録出願支援システムにおいて同じである。
【００２０】
また、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。以下、発明５乃至７の商標登録出願支援システムにおいて同じである。
【００２１】
〔発明２〕  さらに、発明２の商標登録出願支援システムは、発明１の商標登録出願支援システムにおいて、前記統計情報取得手段は、前記商品情報検索手段で索出した第２商品情報について同一の内容ごと又は所定の分類ごとに出現回数を算出する。
【００２２】
このような構成であれば、統計情報取得手段により、索出された第２商品情報について同一の内容ごと又は所定の分類ごとに出現回数が算出され、商品情報出力手段により、算出された出現回数に基づいて、索出された第２商品情報が出力されるか、又は、算出された出現回数及び索出された第２商品情報に基づいて、商品若しくは役務又はこれが属するグループに関する商品情報が出力される。
【００２３】
ここで、商品情報出力手段による出力の形態には、例えば、出現回数の多い順に商品情報を出力すること、出現回数の少ない順に商品情報を出力すること、出現回数が所定以上の商品情報を出力すること、又は、出現回数が所定以下の商品情報を出力することが含まれる。
【００２４】
また、同一の内容ごとに出現回数を算出するとは、例えば、索出された第２商品情報に係る商品が「Ａ」「Ｂ」「Ａ」「Ｂ」「Ｂ」の場合、商品「Ａ」の出現回数を「２」、商品「Ｂ」の出現回数を「３」として算出することをいう。また、所定の分類ごとに出現回数を算出するとは、例えば、索出された第２商品情報に係る商品が「Ａ１２」「Ｂ３４」「Ａ５６」「Ｂ７８」「Ｂ９０」の場合、「Ａ」を含む商品及び「Ｂ」を含む商品という分類を規定し、「Ａ」を含む商品の出現回数を「２」、「Ｂ」を含む商品の出現回数を「３」として算出することをいう。分類方法は、任意である。
【００２５】
〔発明３〕  さらに、発明３の商標登録出願支援システムは、発明１及び２のいずれか１の商標登録出願支援システムにおいて、前記商品情報取得手段は、商品又は役務及びこれが属するグループに関する商品情報を取得し、前記商品情報検索手段は、前記商品情報取得手段で取得した商品情報に係るグループで且つ当該商品情報に係る商品又は役務に対応する前記第１商品情報を介して、前記第２商品情報を検索する。
【００２６】
このような構成であれば、商品情報取得手段により、商品又は役務及びこれが属するグループに関する商品情報が取得されると、商品情報検索手段により、取得された商品情報に係るグループで且つその商品情報に係る商品又は役務に対応する第１商品情報を介して、第２商品情報が検索される。
【００２７】
例えば、商品若しくは役務として「菓子」、商品及び役務の区分（以下単に「区分」という。）として「３０」が取得されると、第３０類「菓子」に対応する第１商品情報を介して、第２商品情報が検索される。これに対し、同じ「菓子」でも、商品若しくは役務として「菓子」、区分として「３５」が取得されると、第３５類「菓子及びパンの小売又は卸売の業務において行われる顧客に対する便益の提供」に対応する第１商品情報を介して、第２商品情報が検索される。
【００２８】
〔発明４〕  さらに、発明４の商標登録出願支援システムは、発明１乃至３のいずれか１の商標登録出願支援システムにおいて、前記商品情報取得手段は、少なくとも２つの前記商品情報を取得し、前記商品情報検索手段は、前記商品情報取得手段で取得した一の商品情報に係る商品若しくは役務が指定され又は当該一の商品情報に係るグループが設定された商標登録出願で、且つ、前記商品情報取得手段で取得した他の商品情報に係る商品若しくは役務が指定され又は当該他の商品情報に係るグループが設定された商標登録出願について、前記第２商品情報を検索する。
【００２９】
このような構成であれば、商品情報取得手段により少なくとも２つの商品情報が取得されると、商品情報検索手段により、取得された一の商品情報に係る商品若しくは役務が指定され又はその一の商品情報に係るグループが設定された商標登録出願で、且つ、取得された他の商品情報に係る商品若しくは役務が指定され又はその他の商品情報に係るグループが設定された商標登録出願について、第２商品情報が検索される。
【００３０】
〔発明５〕  さらに、発明５の商標登録出願支援システムは、第１の商品若しくは役務又はこれが属するグループに関する第１商品情報、及び、前記第１の商品若しくは役務に係る業務から派生する業務に係る第２の商品若しくは役務又はこれが属するグループに関する第２商品情報を対応づけて記憶する商品情報記憶手段と、商品若しくは役務又はこれが属するグループに関する商品情報を取得する商品情報取得手段と、前記商品情報取得手段で取得した商品情報に対応する前記第１商品情報を介して、当該商品情報に対応する前記第２商品情報を前記商品情報記憶手段のなかから検索する商品情報検索手段と、前記商品情報検索手段で索出した第２商品情報の統計情報を取得する統計情報取得手段と、前記統計情報取得手段で取得した統計情報に基づいて、前記商品情報検索手段で索出した第２商品情報を出力し、又は、前記統計情報取得手段で取得した統計情報及び前記商品情報検索手段で索出した第２商品情報に基づいて、商品若しくは役務又はこれが属するグループに関する商品情報を出力する商品情報出力手段とを備える。
【００３１】
このような構成であれば、商品情報取得手段により、商品若しくは役務又はこれが属するグループに関する商品情報が取得されると、商品情報検索手段により、取得された商品情報に対応する第１商品情報を介して、その商品情報に対応する第２商品情報が商品情報記憶手段のなかから検索される。そして、統計情報取得手段により、索出された第２商品情報の統計情報が取得され、商品情報出力手段により、取得された統計情報に基づいて、索出された第２商品情報が出力されるか、又は、取得された統計情報及び索出された第２商品情報に基づいて、商品若しくは役務又はこれが属するグループに関する商品情報が出力される。
【００３２】
ここで、第１商品情報には、例えば、第１の商品若しくは役務（この段落において単に「第１の商品等」という。）又はこれが属するグループに関する商品情報、第１の商品等を包括する上位概念の商品若しくは役務又はこれが属するグループに関する商品情報、又は、第１の商品等に包括される下位概念の商品若しくは役務又はこれが属するグループに関する商品情報が含まれる。以下、発明７の商標登録出願支援システムにおいて同じである。
【００３３】
また、第２商品情報には、例えば、第２の商品若しくは役務（この段落において単に「第２の商品等」という。）又はこれが属するグループに関する商品情報、第２の商品等を包括する上位概念の商品若しくは役務又はこれが属するグループに関する商品情報、又は、第２の商品等に包括される下位概念の商品若しくは役務又はこれが属するグループに関する商品情報が含まれる。以下、発明７の商標登録出願支援システムにおいて同じである。
【００３４】
〔発明６〕  さらに、発明６の商標登録出願支援システムは、複数の商標登録出願について、当該商標登録出願において指定された指定商品若しくは指定役務のうち一の指定商品若しくは指定役務又はこれが属するグループに関する第１商品情報、及び、当該商標登録出願において指定された指定商品若しくは指定役務のうち他の指定商品若しくは指定役務又はこれが属するグループに関する第２商品情報を対応づけて記憶する商品情報記憶手段と、商品若しくは役務又はこれが属するグループに関する商品情報を取得する商品情報取得手段と、複数の商標登録出願について、前記商品情報取得手段で取得した商品情報に対応する前記第１商品情報を介して、当該商品情報に対応する前記第２商品情報を前記商品情報記憶手段のなかから複数検索する商品情報検索手段と、前記商品情報検索手段で索出した第２商品情報を出力し、又は前記商品情報検索手段で索出した第２商品情報に基づいて、商品若しくは役務又はこれが属するグループに関する商品情報を出力する商品情報出力手段とを備える。
【００３５】
このような構成であれば、商品情報取得手段により、商品若しくは役務又はこれが属するグループに関する商品情報が取得されると、商品情報検索手段により、複数の商標登録出願について、取得された商品情報に対応する第１商品情報を介して、その商品情報に対応する第２商品情報が商品情報記憶手段のなかから複数検索される。そして、商品情報出力手段により、索出された第２商品情報が出力されるか、又は索出された第２商品情報に基づいて、商品若しくは役務又はこれが属するグループに関する商品情報が出力される。
【００３６】
〔発明７〕  さらに、発明７の商標登録出願支援システムは、第１の商品若しくは役務又はこれが属するグループに関する第１商品情報、及び、前記第１の商品若しくは役務に係る業務から派生する業務に係る第２の商品若しくは役務又はこれが属するグループに関する第２商品情報を対応づけて記憶する商品情報記憶手段と、商品若しくは役務又はこれが属するグループに関する商品情報を取得する商品情報取得手段と、前記商品情報取得手段で取得した商品情報に対応する前記第１商品情報を介して、当該商品情報に対応する前記第２商品情報を前記商品情報記憶手段のなかから検索する商品情報検索手段と、前記商品情報検索手段で索出した第２商品情報を出力し、又は前記商品情報検索手段で索出した第２商品情報に基づいて、商品若しくは役務又はこれが属するグループに関する商品情報を出力する商品情報出力手段とを備える。
【００３７】
このような構成であれば、商品情報取得手段により、商品若しくは役務又はこれが属するグループに関する商品情報が取得されると、商品情報検索手段により、取得された商品情報に対応する第１商品情報を介して、その商品情報に対応する第２商品情報が商品情報記憶手段のなかから検索される。そして、商品情報出力手段により、索出された第２商品情報が出力されるか、又は索出された第２商品情報に基づいて、商品若しくは役務又はこれが属するグループに関する商品情報が出力される。
【発明の効果】
【００３８】
以上説明したように、発明１又は５の商標登録出願支援システムによれば、商標登録出願を行うにあたって指定しようとする商品若しくは役務に係る業務から派生する業務に係る商品若しくは役務又はこれが属するグループに関する商品情報が得られるので、従来に比して、現在の業務から派生する業務に係る商品又は役務を指定商品又は指定役務の候補として検討することができる。また、派生する業務に係る商品若しくは役務又はこれが属するグループに関する商品情報の統計情報に基づいて商品情報が出力されるので、商品情報を統計的に把握することができる。
【００３９】
さらに、発明２の商標登録出願支援システムによれば、派生する業務に係る商品若しくは役務又はこれが属するグループに関する商品情報について同一の内容ごと又は所定の分類ごとの出現回数に基づいて商品情報が出力されるので、出現回数と関連して商品情報を把握することができる。
【００４０】
さらに、発明３の商標登録出願支援システムによれば、商品又は役務及びこれが属するグループにより第１商品情報との対応関係が特定されるので、派生する業務に適合する可能性がより高い商品情報が得られる。
【００４１】
さらに、発明４の商標登録出願支援システムによれば、少なくとも２つの商品情報の両方に対応する商標登録出願について第２商品情報が検索されるので、派生する業務に適合する可能性がより高い商品情報が得られる。
【００４２】
さらに、発明６又は７の商標登録出願支援システムによれば、商標登録出願を行うにあたって指定しようとする商品若しくは役務に係る業務から派生する業務に係る商品若しくは役務又はこれが属するグループに関する商品情報が得られるので、従来に比して、現在の業務から派生する業務に係る商品又は役務を指定商品又は指定役務の候補として検討することができる。
【図面の簡単な説明】
【００４３】
【図１】出願支援装置１００のハードウェア構成を示す図である。
【図２】記憶装置４２に記憶されている商品情報テーブルのデータ構造を示す図である。
【図３】商標登録出願の内容の一例を示す図である。
【図４】商標登録出願の内容の一例を示す図である。
【図５】商標登録出願の内容の一例を示す図である。
【図６】指定商品候補検索処理を示すフローチャートである。
【図７】指定商品又は指定役務の候補を検索するための検索画面である。
【図８】記憶装置４２に記憶されている商品情報テーブルのデータ構造を示す図である。
【図９】記憶装置４２に記憶されている書誌情報テーブルのデータ構造を示す図である。
【図１０】指定商品候補検索処理を示すフローチャートである。
【図１１】指定商品又は指定役務の候補を検索するための検索画面である。
【図１２】指定商品又は指定役務の候補を検索するための検索画面である。
【図１３】指定商品又は指定役務の候補を検索するための検索画面である。
【図１４】記憶装置４２に記憶されている商品情報テーブルのデータ構造を示す図である。
【図１５】指定商品候補検索処理を示すフローチャートである。
【図１６】指定商品又は指定役務の候補を検索するための検索画面である。
【図１７】指定商品候補検索処理を示すフローチャートである。
【図１８】指定商品又は指定役務の候補を検索するための検索画面である。
【図１９】記憶装置４２に記憶されている商品情報テーブルのデータ構造を示す図である。
【図２０】指定商品候補検索処理を示すフローチャートである。
【図２１】指定商品又は指定役務の候補を検索するための検索画面である。
【図２２】ネットワークシステムの構成を示すブロック図である。
【発明を実施するための形態】
【００４４】
〔第１の実施の形態〕
以下、本発明の第１の実施の形態を説明する。図１乃至図７は、本実施の形態を示す図である。
【００４５】
まず、本発明を適用する出願支援装置１００の構成を説明する。
図１は、出願支援装置１００のハードウェア構成を示す図である。
【００４６】
出願支援装置１００は、図１に示すように、制御プログラムに基づいて演算及びシステム全体を制御するＣＰＵ（Central Processing Unit）３０と、所定領域に予めＣＰＵ３０の制御プログラム等を格納しているＲＯＭ（Read Only Memory）３２と、ＲＯＭ３２等から読み出したデータやＣＰＵ３０の演算過程で必要な演算結果を格納するためのＲＡＭ（Random Access Memory）３４と、外部装置に対してデータの入出力を媒介するＩ／Ｆ（InterFace）３８とで構成されており、これらは、データを転送するための信号線であるバス３９で相互に且つデータ授受可能に接続されている。
【００４７】
Ｉ／Ｆ３８には、外部装置として、ヒューマンインターフェースとしてデータの入力が可能なキーボードやマウス等からなる入力装置４０と、データやテーブル等をファイルとして格納する記憶装置４２と、画像信号に基づいて画面を表示する表示装置４４とが接続されている。
【００４８】
次に、記憶装置４２のデータ構造を説明する。
図２は、記憶装置４２に記憶されている商品情報テーブルのデータ構造を示す図である。
【００４９】
記憶装置４２は、図２に示すように、商標登録出願において指定された指定商品又は指定役務を登録する商品情報テーブルを記憶している。
【００５０】
商品情報テーブルには、商標登録出願ごとに１つのレコードが登録されている。各レコードは、商標登録出願において第１番目に指定された指定商品又は指定役務（指定商品（指定役務）１）を登録するフィールドと、商標登録出願において第２番目に指定された指定商品又は指定役務（指定商品（指定役務）２）を登録するフィールドと、商標登録出願において第３番目に指定された指定商品又は指定役務（指定商品（指定役務）３）を登録するフィールドと、商標登録出願において第４番目に指定された指定商品又は指定役務（指定商品（指定役務）４）を登録するフィールドとを含んで構成されている。図２の例では、説明の簡略化のため、フィールド数を４つとしてあるが、任意の数に設定することができる。
【００５１】
図３乃至図５は、商標登録出願の内容の一例を示す図である。
図３の例では、商標登録出願（商願２０１１−９９９９９９１）において、第４３類「宿泊施設の提供，飲食物の提供」が指定役務として指定されているので、商品情報テーブルの第１番目のレコードには、指定商品（指定役務）１として「宿泊施設の提供」が、指定商品（指定役務）２として「飲食物の提供」が登録される。
【００５２】
図４の例では、商標登録出願（商願２０１１−９９９９９９２）において、第４３類「宿泊施設の提供，飲食物の提供，会議室の貸与」が指定役務として指定されているので、商品情報テーブルの第２番目のレコードには、指定商品（指定役務）１として「宿泊施設の提供」が、指定商品（指定役務）２として「飲食物の提供」が、指定商品（指定役務）３として「会議室の貸与」が登録される。
【００５３】
図５の例では、商標登録出願（商願２０１１−９９９９９９３）において、第４３類「宿泊施設の提供，飲食物の提供，会議室の貸与」及び第４４類「入浴施設の提供」が指定役務として指定されているので、商品情報テーブルの第３番目のレコードには、指定商品（指定役務）１として「宿泊施設の提供」が、指定商品（指定役務）２として「飲食物の提供」が、指定商品（指定役務）３として「会議室の貸与」が、指定商品（指定役務）４として「入浴施設の提供」が登録される。
【００５４】
次に、ＣＰＵ３０で実行される処理を説明する。
ＣＰＵ３０は、ＭＰＵ（Micro-Processing Unit）等からなり、ＲＯＭ３２の所定領域に格納されている所定のプログラムを起動させ、そのプログラムに従って、図６のフローチャートに示す指定商品候補検索処理を実行する。
【００５５】
図６は、指定商品候補検索処理を示すフローチャートである。
指定商品候補検索処理は、ユーザからの検索要求に応じて実行される処理であって、ＣＰＵ３０において実行されると、図６に示すように、まず、ステップＳ１００に移行する。
【００５６】
ステップＳ１００では、商品又は役務を入力し、ステップＳ１０２に移行して、入力した商品又は役務と一致する指定商品又は指定役務を商品情報テーブルのなかから検索し、これと同一のレコードにおいて登録されている他の指定商品又は指定役務を商品情報テーブルのなかから検索し、ステップＳ１０４に移行する。
【００５７】
ステップＳ１０４では、索出した指定商品又は指定役務について同一の内容ごとに出現回数を算出し、ステップＳ１０６に移行して、索出した指定商品又は指定役務及び出現回数を出現回数の多い順に表示し、一連の処理を終了して元の処理に復帰させる。
【００５８】
次に、本実施の形態の動作を説明する。
図７は、指定商品又は指定役務の候補を検索するための検索画面である。
【００５９】
ユーザは、図７に示すように、商品又は役務として「宿泊施設の提供」を入力し、検索ボタンをクリックすると、ステップＳ１０２を経て、「宿泊施設の提供」と一致する指定商品又は指定役務が商品情報テーブルのなかから検索され、これと同一のレコードにおいて登録されている他の指定商品又は指定役務が商品情報テーブルのなかから検索される。
【００６０】
図２の例では、まず、第１番目のレコードに指定役務「宿泊施設の提供」が登録されているので、これと同一のレコードにおいて登録されている他の指定役務「飲食物の提供」が索出される。同様に、第２番目のレコードにも指定役務「宿泊施設の提供」が登録されているので、これと同一のレコードにおいて登録されている他の指定役務「飲食物の提供」「会議室の貸与」が索出される。同様に、第３番目のレコードにも指定役務「宿泊施設の提供」が登録されているので、これと同一のレコードにおいて登録されている他の指定役務「飲食物の提供」「会議室の貸与」「入浴施設の提供」が索出される。
【００６１】
次いで、ステップＳ１０４を経て、索出された指定商品又は指定役務について同一の内容ごとに出現回数が算出される。索出された指定役務が「飲食物の提供」「飲食物の提供」「会議室の貸与」「飲食物の提供」「会議室の貸与」「入浴施設の提供」であるので、「飲食物の提供」の出現回数が「３」、「会議室の貸与」の出現回数が「２」、「入浴施設の提供」の出現回数が「１」として算出される。
【００６２】
そして、ステップＳ１０６を経て、索出された指定商品又は指定役務及び出現回数が出現回数の多い順に表示される。図７の例では、「飲食物の提供」の出現回数が最も多いので、「飲食物の提供」及び件数「３」が第１行目に表示される。「会議室の貸与」の出現回数が次に多いので、「会議室の貸与」及び件数「２」が第２行目に表示される。「入浴施設の提供」の出現回数が最も少ないので、「入浴施設の提供」及び件数「１」が第３行目に表示される。
【００６３】
このようにして、本実施の形態では、商品又は役務を入力し、入力した商品又は役務と一致する指定商品又は指定役務を商品情報テーブルのなかから検索し、これと同一のレコードにおいて登録されている他の指定商品又は指定役務を商品情報テーブルのなかから検索し、索出した指定商品又は指定役務を表示する。
【００６４】
これにより、商標登録出願を行うにあたって指定しようとする商品又は役務に係る業務から派生する業務に係る商品又は役務が得られるので、従来に比して、現在の業務から派生する業務に係る商品又は役務を指定商品又は指定役務の候補として検討することができる。
【００６５】
また、本実施の形態では、索出した指定商品又は指定役務について同一の内容ごとに出現回数を算出し、索出した指定商品又は指定役務及び出現回数を出現回数の多い順に表示する。
【００６６】
これにより、派生する業務に係る商品又は役務について同一の内容ごとの出現回数に基づいて商品又は役務が表示されるので、出現回数と関連して商品又は役務を把握することができる。
【００６７】
本実施の形態において、商品情報テーブルは、発明１、５乃至７の商品情報記憶手段に対応し、ステップＳ１００は、発明１、５乃至７の商品情報取得手段に対応し、ステップＳ１０２は、発明１、２、５乃至７の商品情報検索手段に対応し、ステップＳ１０４は、発明１、２又は５の統計情報取得手段に対応している。また、ステップＳ１０６は、発明１、５乃至７の商品情報出力手段に対応している。
【００６８】
〔第２の実施の形態〕
次に、本発明の第２の実施の形態を説明する。図８乃至図１３は、本実施の形態を示す図である。なお、以下、上記第１の実施の形態と異なる部分についてのみ説明し、重複する部分については同一の符号を付して説明を省略する。
【００６９】
まず、記憶装置４２のデータ構造を説明する。
図８は、記憶装置４２に記憶されている商品情報テーブルのデータ構造を示す図である。
【００７０】
記憶装置４２は、図２の商品情報テーブルに代えて、図８の商品情報テーブルを記憶している。
【００７１】
商品情報テーブルには、商標登録出願ごとに１つのレコードが登録されている。各レコードは、出願番号を登録するフィールドと、指定商品（指定役務）１を登録するフィールドと、指定商品（指定役務）１が属する区分（区分１）を登録するフィールドと、指定商品（指定役務）１が属する類似群の類似群コード（類似群コード１）を登録するフィールドと、指定商品（指定役務）２を登録するフィールドと、指定商品（指定役務）２が属する区分（区分２）を登録するフィールドと、指定商品（指定役務）２が属する類似群の類似群コード（類似群コード２）を登録するフィールドと、指定商品（指定役務）３を登録するフィールドと、指定商品（指定役務）３が属する区分（区分３）を登録するフィールドと、指定商品（指定役務）３が属する類似群の類似群コード（類似群コード３）を登録するフィールドと、指定商品（指定役務）４を登録するフィールドと、指定商品（指定役務）４が属する区分（区分４）を登録するフィールドと、指定商品（指定役務）４が属する類似群の類似群コード（類似群コード４）を登録するフィールドとを含んで構成されている。
【００７２】
商標登録出願（商願２０１１−９９９９９９１）において、第４３類「宿泊施設の提供，飲食物の提供」が指定役務として指定されているので、商品情報テーブルの第１番目のレコードには、出願番号として「２０１１−９９９９９９１」が、指定商品（指定役務）１として「宿泊施設の提供」が、指定商品（指定役務）２として「飲食物の提供」が登録される。また、これらが属する区分１、２として「４３」が登録される。さらに、これらが属する類似群の類似群コード１として「４２Ａ０１」が、類似群コード２として「４２Ｂ０１」が登録される。
【００７３】
商標登録出願（商願２０１１−９９９９９９２）において、第４３類「宿泊施設の提供，飲食物の提供，会議室の貸与」が指定役務として指定されているので、商品情報テーブルの第２番目のレコードには、出願番号として「２０１１−９９９９９９２」が、指定商品（指定役務）１として「宿泊施設の提供」が、指定商品（指定役務）２として「飲食物の提供」が、指定商品（指定役務）３として「会議室の貸与」が登録される。また、これらが属する区分１〜３として「４３」が登録される。さらに、これらが属する類似群の類似群コード１として「４２Ａ０１」が、類似群コード２として「４２Ｂ０１」が、類似群コード３として「４２Ｘ１０」が登録される。
【００７４】
商標登録出願（商願２０１１−９９９９９９３）において、第４３類「宿泊施設の提供，飲食物の提供，会議室の貸与」及び第４４類「入浴施設の提供」が指定役務として指定されているので、商品情報テーブルの第３番目のレコードには、出願番号として「２０１１−９９９９９９３」が、指定商品（指定役務）１として「宿泊施設の提供」が、指定商品（指定役務）２として「飲食物の提供」が、指定商品（指定役務）３として「会議室の貸与」が、指定商品（指定役務）４として「入浴施設の提供」が登録される。また、これらが属する区分１〜３として「４３」が、区分４として「４４」が登録される。さらに、これらが属する類似群の類似群コード１として「４２Ａ０１」が、類似群コード２として「４２Ｂ０１」が、類似群コード３として「４２Ｘ１０」が、類似群コード４として「４２Ｄ０１」が登録される。
【００７５】
商標登録出願（商願２０１１−９９９９９９４）において、第４３類「宿泊施設の提供，会議室の貸与」が指定役務として指定されているので、商品情報テーブルの第４番目のレコードには、出願番号として「２０１１−９９９９９９４」が、指定商品（指定役務）１として「宿泊施設の提供」が、指定商品（指定役務）２として「会議室の貸与」が登録される。また、これらが属する区分１、２として「４３」が登録される。さらに、これらが属する類似群の類似群コード１として「４２Ａ０１」が、類似群コード２として「４２Ｘ１０」が登録される。
【００７６】
商標登録出願（商願２０１１−９９９９９９５）において、第４３類「宿泊施設の提供，飲食物の提供」が指定役務として指定されているので、商品情報テーブルの第５番目のレコードには、出願番号として「２０１１−９９９９９９５」が、指定商品（指定役務）１として「宿泊施設の提供」が、指定商品（指定役務）２として「飲食物の提供」が登録される。また、これらが属する区分１、２として「４３」が登録される。さらに、これらが属する類似群の類似群コード１として「４２Ａ０１」が、類似群コード２として「４２Ｂ０１」が登録される。
【００７７】
商標登録出願（商願２０１１−９９９９９９６）において、第４３類「宿泊施設の提供，飲食物の提供，会議室の貸与」及び第４５類「婚礼のための施設の提供」が指定役務として指定されているので、商品情報テーブルの第６番目のレコードには、出願番号として「２０１１−９９９９９９６」が、指定商品（指定役務）１として「宿泊施設の提供」が、指定商品（指定役務）２として「飲食物の提供」が、指定商品（指定役務）３として「会議室の貸与」が、指定商品（指定役務）４として「婚礼のための施設の提供」が登録される。また、これらが属する区分１〜３として「４３」が、区分４として「４５」が登録される。さらに、これらが属する類似群の類似群コード１として「４２Ａ０１」が、類似群コード２として「４２Ｂ０１」が、類似群コード３として「４２Ｘ１０」が、類似群コード４として「４２Ｈ０２」が登録される。
【００７８】
図９は、記憶装置４２に記憶されている書誌情報テーブルのデータ構造を示す図である。
【００７９】
記憶装置４２は、さらに、図９に示すように、商標登録出願に関する書誌情報テーブルを記憶している。
【００８０】
書誌情報テーブルには、商標登録出願ごとに１つのレコードが登録されている。各レコードは、出願番号を登録するフィールドと、検索用の商標を登録するフィールドと、商標の称呼を登録するフィールドと、出願人を登録するフィールドと、出願日を登録するフィールドと、代理人を登録するフィールドとを含んで構成されている。その他、例えば、（１）法区分（版）・類、（２）書換登録申請番号、（３）国際登録番号、（４）書換登録申請日又は国際登録日（事後指定日）、（５）公開日、（６）公告番号、（７）公告日、（８）登録番号、（９）登録日（国際登録の場合は国内登録日）、（１０）登録公報発行日、（１１）存続期間満了日、（１２）出願人、書換申請者、権利者又は名義人に関する情報（氏名又は名称、住所又は居所、識別番号、出願人等が法人にあっては企業情報（例えば、業種、設立年月日、株式上場の有無、資本金、売上高、利益、従業員数））、（１３）代理人に関する情報（氏名又は名称、住所又は居所、識別番号、代理人が法人にあっては企業情報（例えば、業種、設立年月日、株式上場の有無、資本金、売上高、利益、従業員数））、（１４）異議申立人に関する情報（氏名又は名称、住所又は居所、識別番号、異議申立人が法人にあっては企業情報（例えば、業種、設立年月日、株式上場の有無、資本金、売上高、利益、従業員数））、（１５）審判番号、（１６）拒絶査定発送日、（１７）最終処分日を登録することもできる。
【００８１】
次に、ＣＰＵ３０で実行される処理を説明する。
ＣＰＵ３０は、図６のフローチャートに示す指定商品候補検索処理に代えて、図１０のフローチャートに示す指定商品候補検索処理を実行する。
【００８２】
図１０は、指定商品候補検索処理を示すフローチャートである。
指定商品候補検索処理は、ユーザからの検索要求に応じて実行される処理であって、ＣＰＵ３０において実行されると、図１０に示すように、まず、ステップＳ１５０に移行する。
【００８３】
ステップＳ１５０では、第１の商品又は役務（商品（役務）１）、及び商品（役務）１が属する第１の区分（区分１）又は第１の類似群の類似群コード（類似群コード１）を入力し、ステップＳ１５２に移行して、第２の商品又は役務（商品（役務）２）、及び商品（役務）２が属する第２の区分（区分２）又は第２の類似群の類似群コード（類似群コード２）を入力し、ステップＳ１５４に移行して、第３の商品又は役務（商品（役務）３）、及び商品（役務）３が属する第３の区分（区分３）又は第３の類似群の類似群コード（類似群コード３）を入力し、ステップＳ１５６に移行する。ここで、商品（役務）１〜３のいずれか１つは必須の入力項目であり、商品（役務）１〜３の他のもの並びに区分１〜３及び類似群コード１〜３は任意の入力項目である。
【００８４】
ステップＳ１５６では、商標登録出願に関する第１の絞込条件（絞込条件１）を入力し、ステップＳ１５８に移行して、商標登録出願に関する第２の絞込条件（絞込条件２）を入力し、ステップＳ１６０に移行して、商標登録出願に関する第３の絞込条件（絞込条件３）を入力し、ステップＳ１６２に移行する。ここで、絞込条件１〜３は任意の入力項目である。
【００８５】
ステップＳ１６２では、入力した絞込条件１〜３のすべてに対応する商標登録出願で、且つ、入力した商品（役務）１〜３のすべてが指定された商標登録出願について、入力した商品（役務）１〜３と一致する指定商品又は指定役務を商品情報テーブルのなかから検索し、これと同一のレコードにおいて登録されている他の指定商品又は指定役務を商品情報テーブルのなかから検索する。具体的な検索方法は、次のとおりである。
【００８６】
１つの商品又は役務を入力した場合（例えば、商品（役務）１を入力した場合）は、商品（役務）１と一致する指定商品又は指定役務を商品情報テーブルのなかから検索し、これと同一のレコードにおいて登録されている他の指定商品又は指定役務を商品情報テーブルのなかから検索する。２つの商品又は役務を入力した場合（例えば、商品（役務）１、２を入力した場合）は、商品（役務）１と一致する指定商品又は指定役務、及び商品（役務）２と一致する指定商品又は指定役務が登録されているレコードを商品情報テーブルのなかから検索し、そのレコードにおいて登録されている他の指定商品又は指定役務を商品情報テーブルのなかから検索する。３つの商品又は役務を入力した場合（例えば、商品（役務）１〜３を入力した場合）は、商品（役務）１と一致する指定商品又は指定役務、商品（役務）２と一致する指定商品又は指定役務、及び商品（役務）３と一致する指定商品又は指定役務が登録されているレコードを商品情報テーブルのなかから検索し、そのレコードにおいて登録されている他の指定商品又は指定役務を商品情報テーブルのなかから検索する。
【００８７】
区分を入力した場合（例えば、商品（役務）１及び区分１を入力した場合）は、区分１で且つ商品（役務）１と一致する指定商品又は指定役務を商品情報テーブルのなかから検索し、これと同一のレコードにおいて登録されている他の指定商品又は指定役務を商品情報テーブルのなかから検索する。類似群コードを入力した場合（例えば、商品（役務）１及び類似群コード１を入力した場合）は、類似群コード１で且つ商品（役務）１と一致する指定商品又は指定役務を商品情報テーブルのなかから検索し、これと同一のレコードにおいて登録されている他の指定商品又は指定役務を商品情報テーブルのなかから検索する。区分及び類似群コードを入力した場合（例えば、商品（役務）１、区分１及び類似群コード１を入力した場合）は、区分１及び類似群コード１で且つ商品（役務）１と一致する指定商品又は指定役務を商品情報テーブルのなかから検索し、これと同一のレコードにおいて登録されている他の指定商品又は指定役務を商品情報テーブルのなかから検索する。
【００８８】
１つの絞込条件を入力した場合（例えば、絞込条件１を入力した場合）は、絞込条件１に対応する書誌情報を書誌情報テーブルのなかから検索し、これと同一のレコードにおいて登録されている出願番号を書誌情報テーブルのなかから検索し、商品情報テーブルのレコードのうち、索出した出願番号と同一の出願番号が登録されているレコードを検索対象とする。２つの絞込条件を入力した場合（例えば、絞込条件１、２を入力した場合）は、絞込条件１に対応する書誌情報、及び絞込条件２に対応する書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。３つの絞込条件を入力した場合（例えば、絞込条件１〜３を入力した場合）は、絞込条件１に対応する書誌情報、絞込条件２に対応する書誌情報、及び絞込条件３に対応する書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。
【００８９】
次いで、ステップＳ１６４に移行して、索出した指定商品又は指定役務について同一の内容ごとに出現回数を算出し、ステップＳ１６６に移行して、索出した指定商品又は指定役務及び出現回数を出現回数の多い順に表示し、一連の処理を終了して元の処理に復帰させる。
【００９０】
次に、本実施の形態の動作を説明する。
まず、１つの商品又は役務を入力して検索を行う場合を説明する。
【００９１】
図１１は、指定商品又は指定役務の候補を検索するための検索画面である。
ユーザは、図１１に示すように、商品（役務）１として「宿泊施設の提供」を、その区分及び類似群コードとして「４３」及び「４２Ａ０１」を入力し、検索ボタンをクリックすると、ステップＳ１６２を経て、第４３類で類似群コードが「４２Ａ０１」となる「宿泊施設の提供」と一致する指定商品又は指定役務が商品情報テーブルのなかから検索され、これと同一のレコードにおいて登録されている他の指定商品又は指定役務が商品情報テーブルのなかから検索される。
【００９２】
図８の例では、まず、第１番目のレコードに指定役務「宿泊施設の提供」が登録されているので、これと同一のレコードにおいて登録されている他の指定役務「飲食物の提供」が索出される。同様に、第２番目のレコードから「飲食物の提供」「会議室の貸与」が、第３番目のレコードから「飲食物の提供」「会議室の貸与」「入浴施設の提供」が、第４番目のレコードから「会議室の貸与」が、第５番目のレコードから「飲食物の提供」が、第６番目のレコードから「飲食物の提供」「会議室の貸与」「婚礼のための施設の提供」が索出される。
【００９３】
次いで、ステップＳ１６４を経て、索出された指定商品又は指定役務について同一の内容ごとに出現回数が算出される。索出された指定役務が「飲食物の提供」「飲食物の提供」「会議室の貸与」「飲食物の提供」「会議室の貸与」「入浴施設の提供」「会議室の貸与」「飲食物の提供」「飲食物の提供」「会議室の貸与」「婚礼のための施設の提供」であるので、「飲食物の提供」の出現回数が「５」、「会議室の貸与」の出現回数が「４」、「入浴施設の提供」の出現回数が「１」、「婚礼のための施設の提供」の出現回数が「１」として算出される。
【００９４】
そして、ステップＳ１６６を経て、索出された指定商品又は指定役務、出現回数、区分及び類似群コードが出現回数の多い順に表示される。図１１の例では、「飲食物の提供」の出現回数が最も多いので、「飲食物の提供」、件数「５」、「４３」及び「４２Ｂ０１」が第１行目に表示される。「会議室の貸与」の出現回数が次に多いので、「会議室の貸与」、件数「４」、「４３」及び「４２Ｘ１０」が第２行目に表示される。「入浴施設の提供」「婚礼のための施設の提供」の出現回数が最も少ないので、「入浴施設の提供」、件数「１」、「４４」及び「４２Ｄ０１」が第３行目に、「婚礼のための施設の提供」、件数「１」、「４５」及び「４２Ｈ０２」が第４行目に表示される。出現回数が同一の指定商品又は指定役務については、例えば、入力した商品又は役務と同一の又は近い区分に属するものを上位に表示してもよいし、入力した商品又は役務と同一の又は近い類似群コードに係る類似群に属するものを上位に表示してもよい。
【００９５】
絞込条件については、例えば、出願人を「商標株式会社」と設定した絞込条件１を入力すると、図８及び図９の例では、出願番号「２０１１−９９９９９９１」「２０１１−９９９９９９２」「２０１１−９９９９９９３」が出願人「商標株式会社」の商標登録出願であるので、これが検索対象となる。図８の例では、まず、第１番目のレコードに指定役務「宿泊施設の提供」が登録されているので、これと同一のレコードにおいて登録されている他の指定役務「飲食物の提供」が索出される。同様に、第２番目のレコードから「飲食物の提供」「会議室の貸与」が、第３番目のレコードから「飲食物の提供」「会議室の貸与」「入浴施設の提供」が索出される。そして、索出された指定役務が「飲食物の提供」「飲食物の提供」「会議室の貸与」「飲食物の提供」「会議室の貸与」「入浴施設の提供」であるので、「飲食物の提供」及び件数「３」が第１行目に、「会議室の貸与」及び件数「２」が第２行目に、「入浴施設の提供」及び件数「１」が第３行目に表示される。これにより、出願人が「商標株式会社」である商標登録出願に係る商品又は役務が得られるので、例えば、特定企業の出願傾向を参考にすることができる。
【００９６】
次に、２つの商品又は役務を入力して検索を行う場合を説明する。
図１２は、指定商品又は指定役務の候補を検索するための検索画面である。
【００９７】
ユーザは、図１２に示すように、商品（役務）１として「宿泊施設の提供」を、その区分及び類似群コードとして「４３」及び「４２Ａ０１」を、商品（役務）２として「飲食物の提供」を、その区分及び類似群コードとして「４３」及び「４２Ｂ０１」を入力し、検索ボタンをクリックすると、ステップＳ１６２を経て、第４３類で類似群コードが「４２Ａ０１」となる「宿泊施設の提供」と一致する指定商品又は指定役務、及び第４３類で類似群コードが「４２Ｂ０１」となる「飲食物の提供」と一致する指定商品又は指定役務が登録されているレコードが商品情報テーブルのなかから検索され、そのレコードにおいて登録されている他の指定商品又は指定役務が商品情報テーブルのなかから検索される。
【００９８】
図８の例では、まず、第２番目のレコードに指定役務「宿泊施設の提供」「飲食物の提供」が登録されているので、これと同一のレコードにおいて登録されている他の指定役務「会議室の貸与」が索出される。同様に、第３番目のレコードから「会議室の貸与」「入浴施設の提供」が、第６番目のレコードから「会議室の貸与」「婚礼のための施設の提供」が索出される。
【００９９】
次いで、ステップＳ１６４を経て、索出された指定商品又は指定役務について同一の内容ごとに出現回数が算出される。索出された指定役務が「会議室の貸与」「会議室の貸与」「入浴施設の提供」「会議室の貸与」「婚礼のための施設の提供」であるので、「会議室の貸与」の出現回数が「３」、「入浴施設の提供」の出現回数が「１」、「婚礼のための施設の提供」の出現回数が「１」として算出される。
【０１００】
そして、ステップＳ１６６を経て、索出された指定商品又は指定役務、出現回数、区分及び類似群コードが出現回数の多い順に表示される。図１２の例では、「会議室の貸与」の出現回数が最も多いので、「会議室の貸与」、件数「３」、「４３」及び「４２Ｘ１０」が第１行目に表示される。「入浴施設の提供」「婚礼のための施設の提供」の出現回数が最も少ないので、「入浴施設の提供」、件数「１」、「４４」及び「４２Ｄ０１」が第２行目に、「婚礼のための施設の提供」、件数「１」、「４５」及び「４２Ｈ０２」が第３行目に表示される。出現回数が同一の指定商品又は指定役務についての表示優先度は、上記同様である。
【０１０１】
絞込条件については、例えば、出願日を「２０１１／１２／２６〜２０１１／１２／２８」と設定した絞込条件１を入力すると、図８及び図９の例では、出願番号「２０１１−９９９９９９１」「２０１１−９９９９９９２」「２０１１−９９９９９９３」が出願日「２０１１／１２／２６〜２０１１／１２／２８」の商標登録出願であるので、これが検索対象となる。図８の例では、まず、第２番目のレコードに指定役務「宿泊施設の提供」「飲食物の提供」が登録されているので、これと同一のレコードにおいて登録されている他の指定役務「会議室の貸与」が索出される。同様に、第３番目のレコードから「会議室の貸与」「入浴施設の提供」が索出される。そして、索出された指定役務が「会議室の貸与」「会議室の貸与」「入浴施設の提供」であるので、「会議室の貸与」及び件数「２」が第１行目に、「入浴施設の提供」及び件数「１」が第２行目に表示される。これにより、出願日が「２０１１／１２／２６〜２０１１／１２／２８」である商標登録出願に係る商品又は役務が得られるので、例えば、特定期間の出願傾向を参考にすることができる。
【０１０２】
次に、３つの商品又は役務を入力して検索を行う場合を説明する。
図１３は、指定商品又は指定役務の候補を検索するための検索画面である。
【０１０３】
ユーザは、図１３に示すように、商品（役務）１として「宿泊施設の提供」を、その区分及び類似群コードとして「４３」及び「４２Ａ０１」を、商品（役務）２として「飲食物の提供」を、その区分及び類似群コードとして「４３」及び「４２Ｂ０１」を、商品（役務）３として「会議室の貸与」を、その区分及び類似群コードとして「４３」及び「４２Ｘ１０」を入力し、検索ボタンをクリックすると、ステップＳ１６２を経て、第４３類で類似群コードが「４２Ａ０１」となる「宿泊施設の提供」と一致する指定商品又は指定役務、第４３類で類似群コードが「４２Ｂ０１」となる「飲食物の提供」と一致する指定商品又は指定役務、及び第４３類で類似群コードが「４２Ｘ１０」となる「会議室の貸与」と一致する指定商品又は指定役務が登録されているレコードが商品情報テーブルのなかから検索され、そのレコードにおいて登録されている他の指定商品又は指定役務が商品情報テーブルのなかから検索される。
【０１０４】
図８の例では、まず、第３番目のレコードに指定役務「宿泊施設の提供」「飲食物の提供」「会議室の貸与」が登録されているので、これと同一のレコードにおいて登録されている他の指定役務「入浴施設の提供」が索出される。同様に、第６番目のレコードから「婚礼のための施設の提供」が索出される。
【０１０５】
次いで、ステップＳ１６４を経て、索出された指定商品又は指定役務について同一の内容ごとに出現回数が算出される。索出された指定役務が「入浴施設の提供」「婚礼のための施設の提供」であるので、「入浴施設の提供」の出現回数が「１」、「婚礼のための施設の提供」の出現回数が「１」として算出される。
【０１０６】
そして、ステップＳ１６６を経て、索出された指定商品又は指定役務、出現回数、区分及び類似群コードが出現回数の多い順に表示される。図１３の例では、「入浴施設の提供」「婚礼のための施設の提供」の出現回数が最も多いので、「入浴施設の提供」、件数「１」、「４４」及び「４２Ｄ０１」が第１行目に、「婚礼のための施設の提供」、件数「１」、「４５」及び「４２Ｈ０２」が第２行目に表示される。出現回数が同一の指定商品又は指定役務についての表示優先度は、上記同様である。
【０１０７】
絞込条件については、例えば、代理人を「代理太郎」と設定した絞込条件１を入力すると、図８及び図９の例では、出願番号「２０１１−９９９９９９１」「２０１１−９９９９９９２」「２０１１−９９９９９９３」が代理人「代理太郎」の商標登録出願であるので、これが検索対象となる。図８の例では、第３番目のレコードに指定役務「宿泊施設の提供」「飲食物の提供」「会議室の貸与」が登録されているので、これと同一のレコードにおいて登録されている他の指定役務「入浴施設の提供」が索出される。そして、索出された指定役務が「入浴施設の提供」であるので、「入浴施設の提供」及び件数「１」が第１行目に表示される。これにより、代理人が「代理太郎」である商標登録出願に係る商品又は役務が得られるので、例えば、特定代理人の出願傾向を参考にすることができる。
【０１０８】
このようにして、本実施の形態では、商品又は役務を入力し、入力した商品又は役務と一致する指定商品又は指定役務を商品情報テーブルのなかから検索し、これと同一のレコードにおいて登録されている他の指定商品又は指定役務を商品情報テーブルのなかから検索し、索出した指定商品又は指定役務を表示する。
【０１０９】
これにより、商標登録出願を行うにあたって指定しようとする商品又は役務に係る業務から派生する業務に係る商品又は役務が得られるので、従来に比して、現在の業務から派生する業務に係る商品又は役務を指定商品又は指定役務の候補として検討することができる。
【０１１０】
また、本実施の形態では、索出した指定商品又は指定役務について同一の内容ごとに出現回数を算出し、索出した指定商品又は指定役務及び出現回数を出現回数の多い順に表示する。
【０１１１】
これにより、派生する業務に係る商品又は役務について同一の内容ごとの出現回数に基づいて商品又は役務が表示されるので、出現回数と関連して商品又は役務を把握することができる。
【０１１２】
また、本実施の形態では、商品又は役務及びこれが属する区分又は類似群コードを入力し、入力した区分又は類似群コードで且つ入力した商品又は役務と一致する指定商品又は指定役務を商品情報テーブルのなかから検索し、これと同一のレコードにおいて登録されている他の指定商品又は指定役務を商品情報テーブルのなかから検索する。
【０１１３】
これにより、商品又は役務及びこれが属する区分又は類似群コードにより、商品情報テーブルに登録されている指定商品又は指定役務との対応関係が特定されるので、派生する業務に適合する可能性がより高い商品又は役務が得られる。
【０１１４】
また、本実施の形態では、少なくとも２つの商品又は役務を入力し、入力した一の商品又は役務と一致する指定商品又は指定役務、及び入力した他の商品又は役務と一致する指定商品又は指定役務が登録されているレコードを商品情報テーブルのなかから検索し、そのレコードにおいて登録されている他の指定商品又は指定役務を商品情報テーブルのなかから検索する。
【０１１５】
これにより、少なくとも２つの商品又は役務の両方に対応する商標登録出願について指定商品又は指定役務が検索されるので、派生する業務に適合する可能性がより高い商品又は役務が得られる。
【０１１６】
また、本実施の形態では、絞込条件を入力し、絞込条件に対応する書誌情報を書誌情報テーブルのなかから検索し、これと同一のレコードにおいて登録されている出願番号を書誌情報テーブルのなかから検索し、商品情報テーブルのレコードのうち、索出した出願番号と同一の出願番号が登録されているレコードを検索対象とする。すなわち、絞込条件に対応する商標登録出願を検索対象とする。
【０１１７】
これにより、絞込条件に対応する出願傾向を参考にすることができる。
また、本実施の形態では、少なくとも２つの絞込条件を入力し、入力した一の絞込条件に対応する書誌情報、及び入力した他の絞込条件に対応する書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。すなわち、少なくとも２つの絞込条件の両方に対応する商標登録出願を検索対象とする。
【０１１８】
これにより、少なくとも２つの絞込条件の両方に対応する出願傾向を参考にすることができる。
【０１１９】
本実施の形態において、商品情報テーブルは、発明１、５乃至７の商品情報記憶手段に対応し、ステップＳ１５０〜Ｓ１５４は、発明１、３乃至７の商品情報取得手段に対応し、ステップＳ１６２は、発明１乃至７の商品情報検索手段に対応し、ステップＳ１６４は、発明１、２又は５の統計情報取得手段に対応している。また、ステップＳ１６６は、発明１、５乃至７の商品情報出力手段に対応し、区分又は類似群は、発明１、３乃至７のグループに対応している。
【０１２０】
〔第３の実施の形態〕
次に、本発明の第３の実施の形態を説明する。図１４乃至図１６は、本実施の形態を示す図である。なお、以下、上記第１の実施の形態と異なる部分についてのみ説明し、重複する部分については同一の符号を付して説明を省略する。
【０１２１】
まず、記憶装置４２のデータ構造を説明する。
図１４は、記憶装置４２に記憶されている商品情報テーブルのデータ構造を示す図である。
【０１２２】
記憶装置４２は、図２の商品情報テーブルに代えて、図１４の商品情報テーブルを記憶している。
【０１２３】
商品情報テーブルには、商標登録出願ごとに１つのレコードが登録されている。各レコードは、指定商品（指定役務）１を登録するフィールドと、指定商品（指定役務）１が属する類似群の類似群コード（類似群コード１）を登録するフィールドと、指定商品（指定役務）２を登録するフィールドと、指定商品（指定役務）２が属する類似群の類似群コード（類似群コード２）を登録するフィールドと、指定商品（指定役務）３を登録するフィールドと、指定商品（指定役務）３が属する類似群の類似群コード（類似群コード３）を登録するフィールドと、指定商品（指定役務）４を登録するフィールドと、指定商品（指定役務）４が属する類似群の類似群コード（類似群コード４）を登録するフィールドとを含んで構成されている。
【０１２４】
商標登録出願（商願２０１１−９９９９９９１）において、第４３類「宿泊施設の提供，飲食物の提供」が指定役務として指定されているので、商品情報テーブルの第１番目のレコードには、指定商品（指定役務）１として「宿泊施設の提供」が、指定商品（指定役務）２として「飲食物の提供」が登録される。また、これらが属する類似群の類似群コード１として「４２Ａ０１」が、類似群コード２として「４２Ｂ０１」が登録される。
【０１２５】
商標登録出願（商願２０１１−９９９９９９２）において、第４３類「宿泊施設の提供，飲食物の提供，会議室の貸与」が指定役務として指定されているので、商品情報テーブルの第２番目のレコードには、指定商品（指定役務）１として「宿泊施設の提供」が、指定商品（指定役務）２として「飲食物の提供」が、指定商品（指定役務）３として「会議室の貸与」が登録される。また、これらが属する類似群の類似群コード１として「４２Ａ０１」が、類似群コード２として「４２Ｂ０１」が、類似群コード３として「４２Ｘ１０」が登録される。
【０１２６】
商標登録出願（商願２０１１−９９９９９９３）において、第４３類「宿泊施設の提供，飲食物の提供，会議室の貸与」及び第４４類「入浴施設の提供」が指定役務として指定されているので、商品情報テーブルの第３番目のレコードには、指定商品（指定役務）１として「宿泊施設の提供」が、指定商品（指定役務）２として「飲食物の提供」が、指定商品（指定役務）３として「会議室の貸与」が、指定商品（指定役務）４として「入浴施設の提供」が登録される。また、これらが属する類似群の類似群コード１として「４２Ａ０１」が、類似群コード２として「４２Ｂ０１」が、類似群コード３として「４２Ｘ１０」が、類似群コード４として「４２Ｄ０１」が登録される。
【０１２７】
次に、ＣＰＵ３０で実行される処理を説明する。
ＣＰＵ３０は、図６のフローチャートに示す指定商品候補検索処理に代えて、図１５のフローチャートに示す指定商品候補検索処理を実行する。
【０１２８】
図１５は、指定商品候補検索処理を示すフローチャートである。
指定商品候補検索処理は、ユーザからの検索要求に応じて実行される処理であって、ＣＰＵ３０において実行されると、図１５に示すように、まず、ステップＳ２００に移行する。
【０１２９】
ステップＳ２００では、類似群コードを入力し、ステップＳ２０２に移行して、入力した類似群コードに対応する指定商品又は指定役務を商品情報テーブルのなかから検索し、これと同一のレコードにおいて登録されている他の指定商品又は指定役務を商品情報テーブルのなかから検索し、ステップＳ２０４に移行する。
【０１３０】
ステップＳ２０４では、索出した指定商品又は指定役務について同一の内容ごとに出現回数を算出し、ステップＳ２０６に移行して、索出した指定商品又は指定役務及び出現回数を出現回数の多い順に表示し、一連の処理を終了して元の処理に復帰させる。
【０１３１】
次に、本実施の形態の動作を説明する。
図１６は、指定商品又は指定役務の候補を検索するための検索画面である。
【０１３２】
ユーザは、図１６に示すように、類似群コードとして「４２Ａ０１」を入力し、検索ボタンをクリックすると、ステップＳ２０２を経て、「４２Ａ０１」に対応する指定商品又は指定役務が商品情報テーブルのなかから検索され、これと同一のレコードにおいて登録されている他の指定商品又は指定役務が商品情報テーブルのなかから検索される。
【０１３３】
図１４の例では、まず、第１番目のレコードに類似群コード「４２Ａ０１」が登録されているので、これに対応する指定役務「宿泊施設の提供」が検索され、これと同一のレコードにおいて登録されている他の指定役務「飲食物の提供」が索出される。同様に、第２番目のレコードから「飲食物の提供」「会議室の貸与」が、第３番目のレコードから「飲食物の提供」「会議室の貸与」「入浴施設の提供」が索出される。
【０１３４】
次いで、ステップＳ２０４を経て、索出された指定商品又は指定役務について同一の内容ごとに出現回数が算出される。索出された指定役務が「飲食物の提供」「飲食物の提供」「会議室の貸与」「飲食物の提供」「会議室の貸与」「入浴施設の提供」であるので、「飲食物の提供」の出現回数が「３」、「会議室の貸与」の出現回数が「２」、「入浴施設の提供」の出現回数が「１」として算出される。
【０１３５】
そして、ステップＳ２０６を経て、索出された指定商品又は指定役務及び出現回数が出現回数の多い順に表示される。図１６の例では、「飲食物の提供」の出現回数が最も多いので、「飲食物の提供」及び件数「３」が第１行目に表示される。「会議室の貸与」の出現回数が次に多いので、「会議室の貸与」及び件数「２」が第２行目に表示される。「入浴施設の提供」の出現回数が最も少ないので、「入浴施設の提供」及び件数「１」が第３行目に表示される。
【０１３６】
このようにして、本実施の形態では、類似群コードを入力し、入力した類似群コードに対応する指定商品又は指定役務を商品情報テーブルのなかから検索し、これと同一のレコードにおいて登録されている他の指定商品又は指定役務を商品情報テーブルのなかから検索し、索出した指定商品又は指定役務を表示する。
【０１３７】
これにより、商標登録出願を行うにあたって指定しようとする商品又は役務に係る業務から派生する業務に係る商品又は役務が得られるので、従来に比して、現在の業務から派生する業務に係る商品又は役務を指定商品又は指定役務の候補として検討することができる。
【０１３８】
また、本実施の形態では、索出した指定商品又は指定役務について同一の内容ごとに出現回数を算出し、索出した指定商品又は指定役務及び出現回数を出現回数の多い順に表示する。
【０１３９】
これにより、派生する業務に係る商品又は役務について同一の内容ごとの出現回数に基づいて商品又は役務が表示されるので、出現回数と関連して商品又は役務を把握することができる。
【０１４０】
本実施の形態において、商品情報テーブルは、発明１、５乃至７の商品情報記憶手段に対応し、ステップＳ２００は、発明１、５乃至７の商品情報取得手段に対応し、ステップＳ２０２は、発明１、２、５乃至７の商品情報検索手段に対応し、ステップＳ２０４は、発明１、２又は５の統計情報取得手段に対応している。また、ステップＳ２０６は、発明１、５乃至７の商品情報出力手段に対応し、類似群は、発明１、５乃至７のグループに対応している。
【０１４１】
〔第４の実施の形態〕
次に、本発明の第４の実施の形態を説明する。図１７及び図１８は、本実施の形態を示す図である。なお、以下、上記第１及び第３の実施の形態と異なる部分についてのみ説明し、重複する部分については同一の符号を付して説明を省略する。
【０１４２】
まず、記憶装置４２のデータ構造を説明する。
記憶装置４２は、図２の商品情報テーブルに代えて、図１４の商品情報テーブルを記憶している。
【０１４３】
次に、ＣＰＵ３０で実行される処理を説明する。
ＣＰＵ３０は、図６のフローチャートに示す指定商品候補検索処理に代えて、図１７のフローチャートに示す指定商品候補検索処理を実行する。
【０１４４】
図１７は、指定商品候補検索処理を示すフローチャートである。
指定商品候補検索処理は、ユーザからの検索要求に応じて実行される処理であって、ＣＰＵ３０において実行されると、図１７に示すように、まず、ステップＳ３００に移行する。
【０１４５】
ステップＳ３００では、商品又は役務を入力し、ステップＳ３０２に移行して、入力した商品又は役務と一致する指定商品又は指定役務を商品情報テーブルのなかから検索し、これと同一のレコードにおいて登録されている他の指定商品又は指定役務に対応する類似群コードを商品情報テーブルのなかから検索し、ステップＳ３０４に移行する。
【０１４６】
ステップＳ３０４では、索出した類似群コードについて同一の内容ごとに出現回数を算出し、ステップＳ３０６に移行して、索出した類似群コード及び出現回数を出現回数の多い順に表示し、一連の処理を終了して元の処理に復帰させる。
【０１４７】
次に、本実施の形態の動作を説明する。
図１８は、指定商品又は指定役務の候補を検索するための検索画面である。
【０１４８】
ユーザは、図１８に示すように、商品又は役務として「宿泊施設の提供」を入力し、検索ボタンをクリックすると、ステップＳ３０２を経て、「宿泊施設の提供」と一致する指定商品又は指定役務が商品情報テーブルのなかから検索され、これと同一のレコードにおいて登録されている他の指定商品又は指定役務が商品情報テーブルのなかから検索される。
【０１４９】
図１４の例では、まず、第１番目のレコードに指定役務「宿泊施設の提供」が登録されているので、これと同一のレコードにおいて登録されている他の指定役務「飲食物の提供」に対応する類似群コード「４２Ｂ０１」が索出される。同様に、第２番目のレコードから「４２Ｂ０１」「４２Ｘ１０」が、第３番目のレコードから「４２Ｂ０１」「４２Ｘ１０」「４２Ｄ０１」が索出される。
【０１５０】
次いで、ステップＳ３０４を経て、索出された類似群コードについて同一の内容ごとに出現回数が算出される。索出された類似群コードが「４２Ｂ０１」「４２Ｂ０１」「４２Ｘ１０」「４２Ｂ０１」「４２Ｘ１０」「４２Ｄ０１」であるので、「４２Ｂ０１」の出現回数が「３」、「４２Ｘ１０」の出現回数が「２」、「４２Ｄ０１」の出現回数が「１」として算出される。
【０１５１】
そして、ステップＳ３０６を経て、索出された類似群コード及び出現回数が出現回数の多い順に表示される。図１８の例では、「４２Ｂ０１」の出現回数が最も多いので、「４２Ｂ０１」及び件数「３」が第１行目に表示される。「４２Ｘ１０」の出現回数が次に多いので、「４２Ｘ１０」及び件数「２」が第２行目に表示される。「４２Ｄ０１」の出現回数が最も少ないので、「４２Ｄ０１」及び件数「１」が第３行目に表示される。
【０１５２】
このようにして、本実施の形態では、商品又は役務を入力し、入力した商品又は役務と一致する指定商品又は指定役務を商品情報テーブルのなかから検索し、これと同一のレコードにおいて登録されている他の指定商品又は指定役務に対応する類似群コードを商品情報テーブルのなかから検索し、索出した類似群コードを表示する。
【０１５３】
これにより、商標登録出願を行うにあたって指定しようとする商品又は役務に係る業務から派生する業務に係る商品又は役務が得られるので、従来に比して、現在の業務から派生する業務に係る商品又は役務を指定商品又は指定役務の候補として検討することができる。
【０１５４】
また、本実施の形態では、索出した類似群コードについて同一の内容ごとに出現回数を算出し、索出した類似群コード及び出現回数を出現回数の多い順に表示する。
【０１５５】
これにより、派生する業務に係る商品又は役務について同一の内容ごとの出現回数に基づいて商品又は役務が表示されるので、出現回数と関連して商品又は役務を把握することができる。
【０１５６】
本実施の形態において、商品情報テーブルは、発明１、５乃至７の商品情報記憶手段に対応し、ステップＳ３００は、発明１、５乃至７の商品情報取得手段に対応し、ステップＳ３０２は、発明１、２、５乃至７の商品情報検索手段に対応し、ステップＳ３０４は、発明１、２又は５の統計情報取得手段に対応している。また、ステップＳ３０６は、発明１、５乃至７の商品情報出力手段に対応し、類似群は、発明１、５乃至７のグループに対応している。
【０１５７】
〔第５の実施の形態〕
次に、本発明の第５の実施の形態を説明する。図１９乃至図２１は、本実施の形態を示す図である。なお、以下、上記第１の実施の形態と異なる部分についてのみ説明し、重複する部分については同一の符号を付して説明を省略する。
【０１５８】
まず、記憶装置４２のデータ構造を説明する。
図１９は、記憶装置４２に記憶されている商品情報テーブルのデータ構造を示す図である。
【０１５９】
記憶装置４２は、図２の商品情報テーブルに代えて、図１９の商品情報テーブルを記憶している。
【０１６０】
商品情報テーブルには、商標登録出願ごとに１つのレコードが登録されている。各レコードは、指定商品（指定役務）１が属する類似群の類似群コード（類似群コード１）を登録するフィールドと、指定商品（指定役務）２が属する類似群の類似群コード（類似群コード２）を登録するフィールドと、指定商品（指定役務）３が属する類似群の類似群コード（類似群コード３）を登録するフィールドと、指定商品（指定役務）４が属する類似群の類似群コード（類似群コード４）を登録するフィールドとを含んで構成されている。
【０１６１】
商標登録出願（商願２０１１−９９９９９９１）において、第４３類「宿泊施設の提供，飲食物の提供」が指定役務として指定されているので、商品情報テーブルの第１番目のレコードには、これらが属する類似群の類似群コード１として「４２Ａ０１」が、類似群コード２として「４２Ｂ０１」が登録される。
【０１６２】
商標登録出願（商願２０１１−９９９９９９２）において、第４３類「宿泊施設の提供，飲食物の提供，会議室の貸与」が指定役務として指定されているので、商品情報テーブルの第２番目のレコードには、これらが属する類似群の類似群コード１として「４２Ａ０１」が、類似群コード２として「４２Ｂ０１」が、類似群コード３として「４２Ｘ１０」が登録される。
【０１６３】
商標登録出願（商願２０１１−９９９９９９３）において、第４３類「宿泊施設の提供，飲食物の提供，会議室の貸与」及び第４４類「入浴施設の提供」が指定役務として指定されているので、商品情報テーブルの第３番目のレコードには、これらが属する類似群の類似群コード１として「４２Ａ０１」が、類似群コード２として「４２Ｂ０１」が、類似群コード３として「４２Ｘ１０」が、類似群コード４として「４２Ｄ０１」が登録される。
【０１６４】
次に、ＣＰＵ３０で実行される処理を説明する。
ＣＰＵ３０は、図６のフローチャートに示す指定商品候補検索処理に代えて、図２０のフローチャートに示す指定商品候補検索処理を実行する。
【０１６５】
図２０は、指定商品候補検索処理を示すフローチャートである。
指定商品候補検索処理は、ユーザからの検索要求に応じて実行される処理であって、ＣＰＵ３０において実行されると、図２０に示すように、まず、ステップＳ４００に移行する。
【０１６６】
ステップＳ４００では、類似群コードを入力し、ステップＳ４０２に移行して、入力した類似群コードと一致する類似群コードを商品情報テーブルのなかから検索し、これと同一のレコードにおいて登録されている他の類似群コードを商品情報テーブルのなかから検索し、ステップＳ４０４に移行する。
【０１６７】
ステップＳ４０４では、索出した類似群コードについて同一の内容ごとに出現回数を算出し、ステップＳ４０６に移行して、索出した類似群コード及び出現回数を出現回数の多い順に表示し、一連の処理を終了して元の処理に復帰させる。
【０１６８】
次に、本実施の形態の動作を説明する。
図２１は、指定商品又は指定役務の候補を検索するための検索画面である。
【０１６９】
ユーザは、図２１に示すように、類似群コードとして「４２Ａ０１」を入力し、検索ボタンをクリックすると、ステップＳ４０２を経て、「４２Ａ０１」と一致する類似群コードが商品情報テーブルのなかから検索され、これと同一のレコードにおいて登録されている他の類似群コードが商品情報テーブルのなかから検索される。
【０１７０】
図１９の例では、まず、第１番目のレコードに類似群コード「４２Ａ０１」が登録されているので、これと同一のレコードにおいて登録されている他の類似群コード「４２Ｂ０１」が索出される。同様に、第２番目のレコードから「４２Ｂ０１」「４２Ｘ１０」が、第３番目のレコードから「４２Ｂ０１」「４２Ｘ１０」「４２Ｄ０１」が索出される。
【０１７１】
次いで、ステップＳ４０４を経て、索出された類似群コードについて同一の内容ごとに出現回数が算出される。索出された類似群コードが「４２Ｂ０１」「４２Ｂ０１」「４２Ｘ１０」「４２Ｂ０１」「４２Ｘ１０」「４２Ｄ０１」であるので、「４２Ｂ０１」の出現回数が「３」、「４２Ｘ１０」の出現回数が「２」、「４２Ｄ０１」の出現回数が「１」として算出される。
【０１７２】
そして、ステップＳ４０６を経て、索出された類似群コード及び出現回数が出現回数の多い順に表示される。図２１の例では、「４２Ｂ０１」の出現回数が最も多いので、「４２Ｂ０１」及び件数「３」が第１行目に表示される。「４２Ｘ１０」の出現回数が次に多いので、「４２Ｘ１０」及び件数「２」が第２行目に表示される。「４２Ｄ０１」の出現回数が最も少ないので、「４２Ｄ０１」及び件数「１」が第３行目に表示される。
【０１７３】
このようにして、本実施の形態では、類似群コードを入力し、入力した類似群コードと一致する類似群コードを商品情報テーブルのなかから検索し、これと同一のレコードにおいて登録されている他の類似群コードを商品情報テーブルのなかから検索し、索出した類似群コードを表示する。
【０１７４】
これにより、商標登録出願を行うにあたって指定しようとする商品又は役務に係る業務から派生する業務に係る商品又は役務が得られるので、従来に比して、現在の業務から派生する業務に係る商品又は役務を指定商品又は指定役務の候補として検討することができる。
【０１７５】
また、本実施の形態では、索出した類似群コードについて同一の内容ごとに出現回数を算出し、索出した類似群コード及び出現回数を出現回数の多い順に表示する。
【０１７６】
これにより、派生する業務に係る商品又は役務について同一の内容ごとの出現回数に基づいて商品又は役務が表示されるので、出現回数と関連して商品又は役務を把握することができる。
【０１７７】
本実施の形態において、商品情報テーブルは、発明１、５乃至７の商品情報記憶手段に対応し、ステップＳ４００は、発明１、５乃至７の商品情報取得手段に対応し、ステップＳ４０２は、発明１、２、５乃至７の商品情報検索手段に対応し、ステップＳ４０４は、発明１、２又は５の統計情報取得手段に対応している。また、ステップＳ４０６は、発明１、５乃至７の商品情報出力手段に対応し、類似群は、発明１、５乃至７のグループに対応している。
【０１７８】
〔その他の変形例〕
なお、上記第１乃至第５の実施の形態においては、単一の装置である出願支援装置１００として実現したが、これに限らず、図２２に示すように、ネットワークシステムとして実現することもできる。
【０１７９】
図２２は、ネットワークシステムの構成を示すブロック図である。
インターネット等のネットワーク１９９には、図２２に示すように、出願支援サーバ２００と、複数のユーザ端末３００とが接続されている。出願支援サーバ２００は、上記第１乃至第５の実施の形態における出願支援装置１００と同等の機能を有して構成されている。異なるのは、入力装置４０による入力に代えてユーザ端末３００から情報を受信する点と、表示装置４４による表示に代えてユーザ端末３００に情報を送信する点である。
【０１８０】
また、上記第２の実施の形態及びその変形例を、上記第３乃至第５の実施の形態及びその変形例に適用することもできる。
【０１８１】
上記第３の実施の形態及びその変形例に適用した場合、類似群コードを入力し、入力した類似群コードに対応する指定商品又は指定役務を商品情報テーブルのなかから検索し、これと同一のレコードにおいて登録されている他の指定商品又は指定役務を商品情報テーブルのなかから検索し、索出した指定商品又は指定役務を表示する。また、索出した指定商品又は指定役務について同一の内容ごとに出現回数を算出し、索出した指定商品又は指定役務及び出現回数を出現回数の多い順に表示する。また、商品又は役務及びこれが属する区分又は類似群コードを入力し、入力した区分又は類似群コードで且つ入力した商品又は役務と一致する指定商品又は指定役務を商品情報テーブルのなかから検索し、これと同一のレコードにおいて登録されている他の指定商品又は指定役務を商品情報テーブルのなかから検索する。また、少なくとも２つの類似群コードを入力し、入力した一の類似群コードに対応する指定商品又は指定役務、及び入力した他の類似群コードに対応する指定商品又は指定役務が登録されているレコードを商品情報テーブルのなかから検索し、そのレコードにおいて登録されている他の指定商品又は指定役務を商品情報テーブルのなかから検索する。また、絞込条件を入力し、絞込条件に対応する書誌情報を書誌情報テーブルのなかから検索し、これと同一のレコードにおいて登録されている出願番号を書誌情報テーブルのなかから検索し、商品情報テーブルのレコードのうち、索出した出願番号と同一の出願番号が登録されているレコードを検索対象とする。また、少なくとも２つの絞込条件を入力し、入力した一の絞込条件に対応する書誌情報、及び入力した他の絞込条件に対応する書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。
【０１８２】
上記第４の実施の形態及びその変形例に適用した場合、商品又は役務を入力し、入力した商品又は役務と一致する指定商品又は指定役務を商品情報テーブルのなかから検索し、これと同一のレコードにおいて登録されている他の指定商品又は指定役務に対応する類似群コードを商品情報テーブルのなかから検索し、索出した類似群コードを表示する。また、索出した類似群コードについて同一の内容ごとに出現回数を算出し、索出した類似群コード及び出現回数を出現回数の多い順に表示する。また、商品又は役務及びこれが属する区分又は類似群コードを入力し、入力した区分又は類似群コードで且つ入力した商品又は役務と一致する指定商品又は指定役務を商品情報テーブルのなかから検索し、これと同一のレコードにおいて登録されている他の指定商品又は指定役務に対応する類似群コードを商品情報テーブルのなかから検索する。また、少なくとも２つの商品又は役務を入力し、入力した一の商品又は役務と一致する指定商品又は指定役務、及び入力した他の商品又は役務と一致する指定商品又は指定役務が登録されているレコードを商品情報テーブルのなかから検索し、そのレコードにおいて登録されている他の指定商品又は指定役務に対応する類似群コードを商品情報テーブルのなかから検索する。また、絞込条件を入力し、絞込条件に対応する書誌情報を書誌情報テーブルのなかから検索し、これと同一のレコードにおいて登録されている出願番号を書誌情報テーブルのなかから検索し、商品情報テーブルのレコードのうち、索出した出願番号と同一の出願番号が登録されているレコードを検索対象とする。また、少なくとも２つの絞込条件を入力し、入力した一の絞込条件に対応する書誌情報、及び入力した他の絞込条件に対応する書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。
【０１８３】
上記第５の実施の形態及びその変形例に適用した場合、類似群コードを入力し、入力した類似群コードと一致する類似群コードを商品情報テーブルのなかから検索し、これと同一のレコードにおいて登録されている他の類似群コードを商品情報テーブルのなかから検索し、索出した類似群コードを表示する。また、索出した類似群コードについて同一の内容ごとに出現回数を算出し、索出した類似群コード及び出現回数を出現回数の多い順に表示する。また、少なくとも２つの類似群コードを入力し、入力した一の類似群コードと一致する類似群コード、及び入力した他の類似群コードと一致する類似群コードが登録されているレコードを商品情報テーブルのなかから検索し、そのレコードにおいて登録されている他の類似群コードを商品情報テーブルのなかから検索する。また、絞込条件を入力し、絞込条件に対応する書誌情報を書誌情報テーブルのなかから検索し、これと同一のレコードにおいて登録されている出願番号を書誌情報テーブルのなかから検索し、商品情報テーブルのレコードのうち、索出した出願番号と同一の出願番号が登録されているレコードを検索対象とする。また、少なくとも２つの絞込条件を入力し、入力した一の絞込条件に対応する書誌情報、及び入力した他の絞込条件に対応する書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。
【０１８４】
また、上記第１の実施の形態及びその変形例においては、入力した商品又は役務と一致する指定商品又は指定役務を検索し、これと同一のレコードにおいて登録されている「他の指定商品又は指定役務」を検索したが、これに限らず、例えば、入力した商品又は役務を一部に含む指定商品又は指定役務を検索し、これと同一のレコードにおいて登録されている「他の指定商品又は指定役務」を検索することもできる。また、入力した文字（商品又は役務）を少なくとも２つの文字部分に分離し、一の文字部分と他の文字部分を含む指定商品又は指定役務を検索し、これと同一のレコードにおいて登録されている「他の指定商品又は指定役務」を検索することもできる。このように複数の文字部分に分離する場合、完全一致検索、フレーズ一致検索、部分一致検索、絞込部分一致検索、除外検索（１又は複数の文字部分を含まない要素を検索）等の公知の検索方法を採用することができる。その他、入力した商品又は役務に対応する指定商品又は指定役務を介して、入力した商品又は役務に対応する「他の指定商品又は指定役務」を検索することができる。ここで、入力した商品又は役務と、指定商品又は指定役務とを対応させる方法としては、例えば、入力した商品又は役務に対応するコードと、指定商品又は指定役務に対応するコードとの一致を判定するなど、中間に１又は複数の情報を介して行ってもよい。この概念は、上記第１乃至第５の実施の形態及びその変形例における「情報Ａに対応する情報Ｂを検索」する方法にすべて適用することができる。
【０１８５】
また、上記第１乃至第５の実施の形態及びその変形例においては、一致検索を行ったが、これに限らず、除外検索を行うこともできる。具体的な検索方法は、次のとおりである。上記第１及び第２の実施の形態並びにその変形例においては、例えば、入力した商品又は役務とは一致しない指定商品又は指定役務を商品情報テーブルのなかから検索する。上記第３の実施の形態及びその変形例においては、例えば、入力した類似群コードに対応しない指定商品又は指定役務を商品情報テーブルのなかから検索する。上記第４の実施の形態及びその変形例においては、例えば、入力した商品又は役務とは一致しない指定商品又は指定役務に対応する類似群コードを商品情報テーブルのなかから検索する。上記第５の実施の形態及びその変形例においては、例えば、入力した類似群コードとは一致しない類似群コードを商品情報テーブルのなかから検索する。
【０１８６】
また、上記第２の実施の形態及びその変形例においては、絞込条件を入力し、絞込条件に対応する書誌情報を書誌情報テーブルのなかから検索し、これと同一のレコードにおいて登録されている出願番号を書誌情報テーブルのなかから検索し、商品情報テーブルのレコードのうち、索出した出願番号と同一の出願番号が登録されているレコードを検索対象としたが、これに限らず、除外検索を行うこともできる。具体的な検索方法は、次のとおりである。絞込条件を入力し、絞込条件に対応しない書誌情報を書誌情報テーブルのなかから検索し、これと同一のレコードにおいて登録されている出願番号を書誌情報テーブルのなかから検索し、商品情報テーブルのレコードのうち、索出した出願番号と同一の出願番号が登録されているレコードを検索対象とする。また、少なくとも２つの絞込条件を入力し、入力した一の絞込条件に対応しない書誌情報、及び入力した他の絞込条件に対応しない書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。
【０１８７】
また、上記第１の実施の形態及びその変形例においては、索出した指定商品又は指定役務について同一の内容ごとに出現回数を算出したが、これに限らず、例えば、索出した指定商品又は指定役務について所定の分類ごとに出現回数を算出することもできる。所定の分類としては、例えば、「菓子」という一つの分類を規定し、「和菓子」「洋菓子」が索出された場合は、「菓子」の出現回数を「２」として算出する。その他、索出した指定商品又は指定役務の統計情報を取得することもできる。統計情報としては、出現回数のほか、例えば、出現率、順位、差分、分散、標準誤差、標準偏差、偏差値、平均値、中央値、最頻値、尖度、歪度、最小値、最大値その他の統計量が考えられる。この変形例は、上記第２乃至第５の実施の形態及びその変形例に適用することもできる。
【０１８８】
また、上記第１乃至第３の実施の形態及びその変形例においては、索出した指定商品又は指定役務及び出現回数を出現回数の多い順に表示したが、これに限らず、例えば、索出した指定商品又は指定役務及び出現回数を出現回数の少ない順に表示することもできる。出現回数を表示しなくてもよい。また、索出した指定商品又は指定役務を包括する上位概念の商品又は役務を表示してもよいし、索出した指定商品又は指定役務に包括される下位概念の商品又は役務を表示してもよい。
【０１８９】
また、上記第４及び第５の実施の形態並びにその変形例においては、索出した類似群コード及び出現回数を出現回数の多い順に表示したが、これに限らず、例えば、索出した類似群コード及び出現回数を出現回数の少ない順に表示することもできる。出現回数を表示しなくてもよい。
【０１９０】
また、上記第２の実施の形態及びその変形例においては、商品（役務）１〜３のいずれか１つを必須の入力項目としたが、商品（役務）１〜３をすべて任意の入力項目とすることができる。この場合、区分又は類似群コードのみを入力すると、入力した区分又は類似群コードが設定された商標登録出願を検索対象とする。
【０１９１】
また、上記第２の実施の形態及びその変形例においては、少なくとも２つの商品又は役務を入力し、ＡＮＤ検索を行ったが、これに限らず、ＯＲ検索を行うこともできる。具体的な検索方法は、次のとおりである。商品（役務）１と一致する指定商品若しくは指定役務、又は商品（役務）２と一致する指定商品若しくは指定役務が登録されているレコードを商品情報テーブルのなかから検索し、そのレコードにおいて登録されている他の指定商品又は指定役務を商品情報テーブルのなかから検索する。
【０１９２】
また、上記第２の実施の形態及びその変形例においては、少なくとも２つの絞込条件を入力し、ＡＮＤ検索を行ったが、これに限らず、ＯＲ検索を行うこともできる。具体的な検索方法は、次のとおりである。絞込条件１に対応する書誌情報、又は絞込条件２に対応する書誌情報が登録されているレコードを書誌情報テーブルのなかから検索し、そのレコードにおいて登録されている出願番号を書誌情報テーブルのなかから検索し、商品情報テーブルのレコードのうち、索出した出願番号と同一の出願番号が登録されているレコードを検索対象とする。
【０１９３】
また、上記第２の実施の形態及びその変形例においては、商品又は役務及びこれが属する区分又は類似群コードを入力し、入力した区分又は類似群コードで且つ入力した商品又は役務と一致する指定商品又は指定役務を検索し、これと同一のレコードにおいて登録されている他の指定商品又は指定役務を検索したが、これに限らず、入力した区分若しくは類似群コードに対応する指定商品若しくは指定役務、又は入力した商品若しくは役務と一致する指定商品若しくは指定役務を商品情報テーブルのなかから検索し、これと同一のレコードにおいて登録されている他の指定商品又は指定役務を商品情報テーブルのなかから検索することもできる。
【０１９４】
また、上記第２の実施の形態及びその変形例においては、商品又は役務が属するグループとして区分又は類似群を採用したが、これに限らず、他の分類によるグループを採用することもできる。
【０１９５】
また、上記第３乃至第５の実施の形態及びその変形例においては、商品又は役務が属するグループとして類似群を採用したが、これに限らず、区分又は他の分類によるグループを採用することもできる。この場合、入力するグループと、出力するグループは、同一とすることもできるし、異ならせることもできる。同一とする例は、上記第５の実施の形態のように、類似群コードを入力し、類似群コードを出力するものであるが、異ならせる例は、上記第５の実施の形態において、例えば、類似群コードを入力し、区分を出力するものである。
【０１９６】
また、上記第５の実施の形態及びその変形例においては、入力した類似群コードと一致する類似群コードを検索し、これと同一のレコードにおいて登録されている他の類似群コードを検索したが、これに限らず、図１４の商品情報テーブルを用いて、入力した類似群コードに対応する指定商品又は指定役務を商品情報テーブルのなかから検索し、これと同一のレコードにおいて登録されている他の指定商品又は指定役務に対応する類似群コードを商品情報テーブルのなかから検索することもできる。
【０１９７】
また、上記第１の実施の形態及びその変形例においては、商標登録出願において指定された指定商品又は指定役務のうち一の指定商品又は指定役務、及び、商標登録出願において指定された指定商品又は指定役務のうち他の指定商品又は指定役務を対応づけて記憶したが、これに限らず、商標登録出願における関連性に依存することなく、第１の商品又は役務、及び、第１の商品又は役務に係る業務から派生する業務に係る第２の商品又は役務を対応づけて記憶することもできる。この変形例は、上記第２乃至第５の実施の形態及びその変形例に適用することもできる。
【０１９８】
また、上記第１の実施の形態及びその変形例においては、商標登録出願において指定された指定商品又は指定役務のうち一の指定商品又は指定役務、及び、商標登録出願において指定された指定商品又は指定役務のうち他の指定商品又は指定役務を対応づけて記憶したが、これに限らず、一の指定商品又は指定役務、及び、他の指定商品又は指定役務を包括する上位概念の商品又は役務を対応づけて記憶することもできる。また、一の指定商品又は指定役務、及び、他の指定商品又は指定役務に包括される下位概念の商品又は役務を対応づけて記憶することもできる。この変形例は、上記第２乃至第５の実施の形態及びその変形例に適用することもできる。
【０１９９】
また、上記第１乃至第５の実施の形態及びその変形例においては、出現回数を算出したが、これに限らず、出現回数をテーブル等に記憶しておき、テーブル等から検索して取得することもできる。
【０２００】
また、上記第１乃至第５の実施の形態及びその変形例においては、商標登録出願を支援する場合について本発明を適用したが、これに限らず、本発明の主旨を逸脱しない範囲で他の場合にも適用可能である。
【符号の説明】
【０２０１】
１００…出願支援装置、  ３０…ＣＰＵ、  ３２…ＲＯＭ、  ３４…ＲＡＭ、  ３８…Ｉ／Ｆ、  ３９…バス、  ４０…入力装置、  ４２…記憶装置、  ４４…表示装置、  ２００…出願支援サーバ、  ３００…ユーザ端末、  １９９…ネットワーク
【図１】
2014132394.tif 000003
【図２】
2014132394.tif 000004
【図３】
2014132394.tif 000005
【図４】
2014132394.tif 000006
【図５】
2014132394.tif 000007
【図６】
2014132394.tif 000008
【図７】
2014132394.tif 000009
【図８】
2014132394.tif 000010
【図９】
2014132394.tif 000011
【図１０】
2014132394.tif 000012
【図１１】
2014132394.tif 000013
【図１２】
2014132394.tif 000014
【図１３】
2014132394.tif 000015
【図１４】
2014132394.tif 000016
【図１５】
2014132394.tif 000017
【図１６】
2014132394.tif 000018
【図１７】
2014132394.tif 000019
【図１８】
2014132394.tif 000020
【図１９】
2014132394.tif 000021
【図２０】
2014132394.tif 000022
【図２１】
2014132394.tif 000023
【図２２】
2014132394.tif 000024
【手続補正書】
【提出日】平成25年3月2日(2013.3.2)
【手続補正１】
【補正対象書類名】特許請求の範囲
【補正対象項目名】全文
【補正方法】変更
【補正の内容】
【特許請求の範囲】
【請求項１】
商品若しくは役務又はこれが属するグループに関する商品情報を取得する商品情報取得手段と、
商標登録出願において指定された指定商品若しくは指定役務のうち一の指定商品若しくは指定役務又はこれが属するグループに関する第１商品情報、及び、前記商標登録出願において指定された指定商品若しくは指定役務のうち他の指定商品若しくは指定役務又はこれが属するグループに関する第２商品情報を対応づけて記憶する商品情報記憶手段のなかから、前記商品情報取得手段で取得した商品情報に対応する前記第１商品情報を介して、当該商品情報に対応する前記第２商品情報を検索する商品情報検索手段と、
前記商品情報検索手段で索出した第２商品情報の統計情報を取得する統計情報取得手段と、
前記統計情報取得手段で取得した統計情報に基づいて、前記商品情報検索手段で索出した第２商品情報を出力し、又は、前記統計情報取得手段で取得した統計情報及び前記商品情報検索手段で索出した第２商品情報に基づいて、商品若しくは役務又はこれが属するグループに関する商品情報を出力する商品情報出力手段とを備えることを特徴とする商標支援システム。
【請求項２】
商品若しくは役務又はこれが属するグループに関する商品情報を取得する商品情報取得手段と、
第１の商品若しくは役務又はこれが属するグループに関する第１商品情報、及び、第２の商品若しくは役務又はこれが属するグループに関する第２商品情報を対応づけて記憶する商品情報記憶手段のなかから、前記商品情報取得手段で取得した商品情報に対応する前記第１商品情報を介して、当該商品情報に対応する前記第２商品情報を検索する商品情報検索手段と、
前記商品情報検索手段で索出した第２商品情報の統計情報を取得する統計情報取得手段と、
前記統計情報取得手段で取得した統計情報に基づいて、前記商品情報検索手段で索出した第２商品情報を出力し、又は、前記統計情報取得手段で取得した統計情報及び前記商品情報検索手段で索出した第２商品情報に基づいて、商品若しくは役務又はこれが属するグループに関する商品情報を出力する商品情報出力手段とを備えることを特徴とする商標支援システム。
【請求項３】
請求項１及び２のいずれか１項において、
前記統計情報取得手段は、前記商品情報検索手段で索出した第２商品情報について同一の内容ごと又は所定の分類ごとに出現回数を算出することを特徴とする商標支援システム。
【請求項４】
請求項１乃至３のいずれか１項において、
前記商品情報取得手段は、商品又は役務及びこれが属するグループに関する商品情報を取得し、
前記商品情報検索手段は、前記商品情報取得手段で取得した商品情報に係るグループで且つ当該商品情報に係る商品又は役務に対応する前記第１商品情報を介して、前記第２商品情報を検索することを特徴とする商標支援システム。
【請求項５】
請求項１乃至４のいずれか１項において、
前記商品情報取得手段は、少なくとも２つの前記商品情報を取得し、
前記商品情報検索手段は、前記商品情報取得手段で取得した一の商品情報に係る商品若しくは役務又はこれが属するグループに対応し、且つ、前記商品情報取得手段で取得した他の商品情報に係る商品若しくは役務又はこれが属するグループに対応する前記第１商品情報を介して、前記第２商品情報を検索することを特徴とする商標支援システム。
【手続補正書】
【提出日】平成25年3月6日(2013.3.6)
【手続補正１】
【補正対象書類名】特許請求の範囲
【補正対象項目名】全文
【補正方法】変更
【補正の内容】
【特許請求の範囲】
【請求項１】
商品若しくは役務又はこれが属するグループに関する商品情報を取得する商品情報取得手段と、
商標登録出願において指定された指定商品若しくは指定役務のうち一の指定商品若しくは指定役務又はこれが属するグループに関する第１商品情報、及び、前記商標登録出願において指定された指定商品若しくは指定役務のうち他の指定商品若しくは指定役務又はこれが属するグループに関する第２商品情報を対応づけて記憶する商品情報記憶手段のなかから、前記商品情報取得手段で取得した商品情報に対応する前記第１商品情報を介して前記第２商品情報を検索する商品情報検索手段と、
前記商品情報検索手段で索出した第２商品情報の統計情報を取得する統計情報取得手段と、
前記統計情報取得手段で取得した統計情報に基づいて、前記商品情報検索手段で索出した第２商品情報を出力し、又は、前記統計情報取得手段で取得した統計情報及び前記商品情報検索手段で索出した第２商品情報に基づいて、商品若しくは役務又はこれが属するグループに関する商品情報を出力する商品情報出力手段とを備えることを特徴とする商標支援システム。
【請求項２】
商品若しくは役務又はこれが属するグループに関する商品情報を取得する商品情報取得手段と、
第１の商品若しくは役務又はこれが属するグループに関する第１商品情報、及び、第２の商品若しくは役務又はこれが属するグループに関する第２商品情報を対応づけて記憶する商品情報記憶手段のなかから、前記商品情報取得手段で取得した商品情報に対応する前記第１商品情報を介して前記第２商品情報を検索する商品情報検索手段と、
前記商品情報検索手段で索出した第２商品情報の統計情報を取得する統計情報取得手段と、
前記統計情報取得手段で取得した統計情報に基づいて、前記商品情報検索手段で索出した第２商品情報を出力し、又は、前記統計情報取得手段で取得した統計情報及び前記商品情報検索手段で索出した第２商品情報に基づいて、商品若しくは役務又はこれが属するグループに関する商品情報を出力する商品情報出力手段とを備えることを特徴とする商標支援システム。
【請求項３】
請求項１及び２のいずれか１項において、
前記統計情報取得手段は、前記商品情報検索手段で索出した第２商品情報について同一の内容ごと又は所定の分類ごとに出現回数を算出することを特徴とする商標支援システム。
【請求項４】
請求項１乃至３のいずれか１項において、
前記商品情報取得手段は、商品又は役務及びこれが属するグループに関する商品情報を取得し、
前記商品情報検索手段は、前記商品情報取得手段で取得した商品情報に係るグループで且つ当該商品情報に係る商品又は役務に対応する前記第１商品情報を介して前記第２商品情報を検索することを特徴とする商標支援システム。
【請求項５】
請求項１乃至４のいずれか１項において、
前記商品情報取得手段は、少なくとも２つの前記商品情報を取得し、
前記商品情報検索手段は、前記商品情報取得手段で取得した一の商品情報に係る商品若しくは役務又はこれが属するグループに対応し、且つ、前記商品情報取得手段で取得した他の商品情報に係る商品若しくは役務又はこれが属するグループに対応する前記第１商品情報を介して前記第２商品情報を検索することを特徴とする商標支援システム。